(57)【要約】      （修正有）【課題】新規な癌抗原ＫＵ−ＴＥＳ−１およびその遺伝子、およびこれらの物質の癌免疫分野における利用などを提供すること。【解決手段】ヒト由来の特定な塩基配列を含有するポリヌクレオチド、ヒト由来の特定なアミノ酸配列を含有するタンパク質、および当該ポリヌクレオチドやタンパク質を有効成分として含有する癌ワクチン等。【選択図】  なし【特許請求の範囲】
【請求項１】
以下の（ａ）、（ｂ）、（ｃ）、（ｄ）または（ｅ）のいずれかのポリヌクレオチド：
（ａ）  配列番号：１、配列番号：３または配列番号：５に記載の塩基配列を含有するポリヌクレオチド、
（ｂ）  配列番号：２、配列番号：４または配列番号：６に記載のアミノ酸配列をコードする塩基配列を含有するポリヌクレオチド、
（ｃ）  前記（ａ）または（ｂ）のポリヌクレオチドの相補鎖に対してストリンジェントな条件下でハイブリダイズするポリヌクレオチドであって、かつ当該ポリヌクレオチドによりコードされるタンパク質が癌抗原として作用するポリヌクレオチド、
（ｄ）  前記（ａ）または（ｂ）のポリヌクレオチドと７０％以上の配列同一性を示す塩基配列を含有するポリヌクレオチドであって、かつ当該ポリヌクレオチドによりコードされるタンパク質が癌抗原として作用するポリヌクレオチド、
（ｅ）  前記（ａ）または（ｂ）のポリヌクレオチドによりコードされるタンパク質において１若しくは複数のアミノ酸が欠失、置換及び／又は付加されたアミノ酸配列を含有するタンパク質をコードするポリヌクレオチドであって、かつ当該ポリヌクレオチドによりコードされるタンパク質が癌抗原として作用するポリヌクレオチド。
【請求項２】
請求項１記載のポリヌクレオチドを含有する発現ベクター。
【請求項３】
請求項２記載の発現ベクターによって形質転換された形質転換体。
【請求項４】
請求項３記載の形質転換体を培養し、発現される組換えタンパク質を回収することからなる、組換えタンパク質の生産方法。
【請求項５】
請求項１記載のポリヌクレオチドによりコードされるか、または請求項４記載の生産方法により生産されるタンパク質。
【請求項６】
以下の（ａ）、（ｂ）または（ｃ）のいずれかのタンパク質：
（ａ）  配列番号：２、配列番号：４または配列番号：６に記載のアミノ酸配列を含有するタンパク質、
（ｂ）  前記（ａ）のアミノ酸配列において１若しくは複数のアミノ酸が欠失、置換及び／又は付加されたアミノ酸配列を含有するタンパク質であって、かつ当該タンパク質が癌抗原として作用するタンパク質、
（ｃ）  前記（ａ）のアミノ酸配列と７０％以上の配列同一性を示すアミノ酸配列を含有するタンパク質であって、かつ当該タンパク質が癌抗原として作用するタンパク質。
【請求項７】
請求項１記載のポリヌクレオチド、請求項２記載の発現ベクター、請求項３記載の形質転換体、あるいは請求項５または６記載のタンパク質を有効成分として含有する医薬。
【請求項８】
癌ワクチンとして使用される、請求項７記載の医薬。
【請求項９】
請求項５または６記載のタンパク質に特異的に結合する抗体。
【請求項１０】
請求項１記載のポリヌクレオチドの塩基配列における連続する少なくとも１５塩基を含有するポリヌクレオチド及び／または該ポリヌクレオチドに相補的なポリヌクレオチドからなる癌マーカー。
【請求項１１】
配列番号：１、配列番号：３または配列番号：５に記載の塩基配列における連続する少なくとも１５塩基を含有するポリヌクレオチド及び／または該ポリヌクレオチドに相補的なポリヌクレオチドからなる、請求項１０記載の癌マーカー。
【請求項１２】
請求項５または６記載のタンパク質のアミノ酸配列における連続する少なくとも８アミノ酸を含有するポリペプチドからなる癌マーカー。
【請求項１３】
配列番号：２、配列番号：４または配列番号：６に記載のアミノ酸配列における連続する少なくとも８アミノ酸を含有するポリペプチドからなる、請求項１２記載の癌マーカー。
【請求項１４】
請求項９記載の抗体からなる癌マーカー。
【請求項１５】
配列番号：２、配列番号：４または配列番号：６に記載のアミノ酸配列からなるタンパク質に対する抗体からなる、請求項１４記載の癌マーカー。
【請求項１６】
癌が膵癌、大腸癌、子宮体癌、前立腺癌、腎癌または肝癌である、請求項１０〜１５いずれか記載の癌マーカー。
【請求項１７】
請求項１０〜１６いずれか記載の癌マーカーを含有してなる癌の診断薬。
【発明の詳細な説明】
【０００１】
【発明の属する技術分野】
本発明は、新規な癌精巣抗原（Ｃａｎｃｅｒ−Ｔｅｓｔｉｓ抗原、以下ＣＴ抗原と称する）ＫＵ−ＴＥＳ−１に関する。さらに詳しくは、本発明は、新規なＣＴ抗原であるＫＵ−ＴＥＳ−１およびその遺伝子の、癌免疫分野における利用などに関する。
【０００２】
【従来の技術】
膵管癌は年々増加傾向にあるが、早期発見が困難である。治癒切除が施行された症例でも極めて高率に局所再発や肝転移を来し、遠隔成績は極めて不良である。早期発見と遠隔成績の向上のために、例えば術中照射、２チャンネル化学療法、膵液細胞診による上皮内微小浸潤癌の発見など精力的な診断治療技術の改良が進められているが、充分なものではない。既存の技術の更なる発展と共に、新たな治療法の開発が必要とされている。
【０００３】
このような背景の中で、近年の分子生物学と免疫学の発展は、癌治療の主軸である外科療法・化学療法・放射線療法に加え新たな癌治療法としての免疫療法に科学的根拠を与えつつある。１９９１年、ベルギーＬｕｄｗｉｇ研究所のＢｏｏｎらは自己癌細胞株と癌反応性Ｔ細胞を用いたｃＤＮＡ発現クローニング法によりＣＤ８＋Ｔ細胞が認識するヒトメラノーマ抗原ＭＡＧＥ１を単離した（非特許文献１を参照）。Ｂｏｏｎの報告後ＣＤ８＋Ｔ細胞の認識する抗原としてｔｙｒｏｓｉｎａｓｅ（非特許文献２を参照）、ＭＡＲＴ１／ＭｅｌａｎＡ（非特許文献３を参照）、ｇｐ１００（非特許文献４を参照）などの単離が行われた。しかし癌反応性Ｔ細胞や癌細胞株の確立はヒトメラノーマ以外の癌では極めて困難であり、この方法を他の癌種に適応拡大して抗原同定に至る例はごく少数であった。
【０００４】
１９９５年、Ｐｒｅｕｄｓｃｈｕｈらは患者血清中抗体が認識する自己癌抗原を同定するａｕｔｏｌｏｇｏｕｓ  ｔｙｐｉｎｇ法にラムダファージｃＤＮＡ発現クローニング法を導入したＳＥＲＥＸ（ｓｅｒｏｌｏｇｉｃａｌ  ｉｄｅｎｔｉｆｉｃａｔｉｏｎ  ｏｆ  ｔｕｍｏｒ  ａｎｔｉｇｅｎｓ  ｂｙ  ｃＤＮＡ  ｅｘｐｒｅｓｓｉｏｎ  ｃｌｏｎｉｎｇ）法を施行し、患者血清中ＩｇＧ抗体が認識する多数の癌抗原を単離した（参考文献５を参照）。方法論自体は自己免疫疾患の領域で自己抗原の同定に用いられていたもので決して斬新なものではない。その後様々な癌種でＳＥＲＥＸ法が試みられ、膵管癌でもＨｓｐ１０５（非特許文献６および７を参照）やＫＵ−ＰＡＮ−１（赤田ら、投稿中）といった抗原が単離されている。ＳＥＲＥＸ単離抗原は、その原理からＩｇＧ抗体産生に関与するＣＤ４＋ヘルパーＴ細胞及びＢ細胞を認識させ活性化させる能力を有している。従ってヘルパーＴ細胞の動態はＴｈ２細胞優位で、Ｔｈ１細胞から誘導されるＣＤ８＋Ｔ細胞は逆に抑制されている可能性が示唆される。しかしＣＤ８＋Ｔ細胞の系で同定された癌抗原がＳＥＲＥＸ法でも重複して単離されること（非特許文献８を参照）、又逆にＳＥＲＥＸ法で単離された抗原ＮＹ−ＥＳＯ−１は抗体産生とＣＤ８＋Ｔ細胞を同時に誘導し、正の相関があることが報告されている（非特許文献９を参照）。従って現在では、ＳＥＲＥＸ単離抗原は抗体産生とＣＤ８＋Ｔ細胞の両者の免疫応答を惹起する可能性があると考えられている（非特許文献１０を参照）。
【０００５】
これらＳＥＲＥＸ単離抗原の中で、Ｃａｎｃｅｒ−Ｔｅｓｔｉｓ（ＣＴ）抗原は各種の癌組織、及び正常組織のうち精巣と一部卵巣・胎盤組織で発現が認められる抗原群である。ＣＴ抗原はＳＥＲＥＸ法で比較的高率に検出され、正常精巣ではＭＨＣ  ｃｌａｓｓ  Ｉを発現しない精粗細胞・精母細胞に発現しており、癌特異的共通抗原となり免疫療法に応用できる可能性がある（非特許文献１１、１２、１３、１４および１５を参照）。
【０００６】
【非特許文献１】
Ｂｒｕｇｇｅｎ  Ｐ．  ｅｔ  ａｌ．，  Ｓｃｉｅｎｃｅ，  ２５４（５０３８）：１６４３−１６４７（１９９１）
【非特許文献２】
Ｒｏｂｂｉｎｓ  Ｐ．Ｆ．  ｅｔ  ａｌ．，  Ｃａｎｃｅｒ  Ｒｅｓ．，  ５４（１２）：３１２４−３１２６（１９９４）
【非特許文献３】
Ｋａｗａｋａｍｉ  Ｙ．  ｅｔ  ａｌ．，  Ｐｒｏｃ．  Ｎａｔｌ．  Ａｃａｄ．  Ｓｃｉ．  ＵＳＡ，  ９１（９）：３５１５−３５１９（１９９４）
【非特許文献４】
Ｋａｗａｋａｍｉ  Ｙ．  ｅｔ  ａｌ．，  Ｐｒｏｃ．  Ｎａｔｌ．  Ａｃａｄ．  Ｓｃｉ．  ＵＳＡ，  ９１（１４）：６４５８−６４６２（１９９４）
【非特許文献５】
Ｓａｈｉｎ  Ｕ．  ｅｔ  ａｌ．，  Ｐｒｏｃ．  Ｎａｔｌ．  Ａｃａｄ．  Ｓｃｉ．  ＵＳＡ，  ９２（２５）：１１８１０−１１８１３  （１９９５）
【非特許文献６】
Ｎａｋａｔｓｕｒａ  Ｔ．  ｅｔ  ａｌ．，  Ｂｉｏｃｈｅｍ．  Ｂｉｏｐｈｙｓ．  Ｒｅｓ．  Ｃｏｍｍｕｎ．，  ２８１（４）：９３６−９４４（２００１）
【非特許文献７】
Ｎａｋａｔｓｕｒａ  Ｔ．  ｅｔ  ａｌ．，  Ｅｕｒ．  Ｊ．  Ｉｍｍｕｎｏｌ．，  ３２（３）：８２６−８３６  （２００２）
【非特許文献８】
ＯＬＤ  Ｌ．  Ｊ．  ｅｔ  ａｌ．，  Ｊ．  Ｅｘｐ．  Ｍｅｄ．，  １８７（８）：１１６３−１１６７（１９９８）
【非特許文献９】
Ｊａｇｅｒ  Ｅ．  ｅｔ  ａｌ．，  Ｐｒｏｃ．  Ｎａｔｌ．  Ａｃａｄ．  Ｓｃｉ．  ＵＳＡ，  ９７（９）：４７６０−４７６５（２０００）
【非特許文献１０】
Ｊａｇｅｒ  Ｅ．  ｅｔ  ａｌ．，  Ｊ．  Ｅｘｐ．  Ｍｅｄ．，  １８７（２）：２６５−２７０（１９９８）
【非特許文献１１】
Ｔｕｒｅｃｉ  Ｏ．  ｅｔ  ａｌ．，  Ｐｒｏｃ．  Ｎａｔｌ．  Ａｃａｄ．  Ｓｃｉ．  ＵＳＡ，  ９５（９）：５２１１−５２１６（１９９８）
【非特許文献１２】
Ｅｙｎｄｅ  Ｂ．  Ｊ．  ｅｔ  ａｌ．，  Ｃｕｒｒ．  Ｏｐｉｎ．  Ｉｍｍｕｎｏｌ．，  ９（５）：６８４−６９３（１９９７）
【非特許文献１３】
Ｔｕｒｅｃｉ  Ｏ．  ｅｔ  ａｌ．，  Ｉｎｔ．  Ｊ．  Ｃａｎｃｅｒ，  ７７（１）：１９−２３（１９９８）
【非特許文献１４】
Ｚｅｎｄｍａｎ  Ａ．  Ｊ．  ｅｔ  ａｌ．，  Ｃａｎｃｅｒ  Ｒｅｓ．，  ５９（２４）：６２２３−６２２９（１９９９）
【非特許文献１５】
Ｓｃａｎｌａｎ  Ｍ．  Ｊ．  ｅｔ  ａｌ．，  Ｃａｎｃｅｒ  Ｌｅｔｔ．，  １５０（２）：１５５−１６４（２０００）
【０００７】
【発明が解決しようとする課題】
本発明の目的は、新たな癌抗原であるＫＵ−ＴＥＳ−１抗原およびその遺伝子の、癌免疫分野における利用などを提供することにある。
【０００８】
【課題を解決するための手段】
我々は膵管癌の診断と治療に寄与する癌抗原を単離すべく、特にＣＴ抗原の単離を目的として、正常精巣由来ｃＤＮＡライブラリーと膵管癌患者血清を使用したＳＥＲＥＸ法を施行した。
まず、精巣由来ｃＤＮＡファージライブラリーを作製し、１名の膵癌患者血清を用いて約２０万クローンをスクリーニングし７個の陽性クローンを得、４種類の遺伝子を同定した。ＲＴ−ＰＣＲ法によりその発現を調べたところ、そのうちの１つである新規遺伝子ＫＵ−ＴＥＳ−１は精巣と数種類の癌細胞株・癌組織に発現が認められた。次に各種癌患者血清を用いて、ＫＵ−ＴＥＳ−１に対するＩｇＧ抗体の存在を調べたところ、複数の癌患者（膵癌、大腸癌、子宮体癌、前立腺癌）の血清中にＩｇＧ抗体が認められた。
【０００９】
以上のようにＫＵ−ＴＥＳ−１はＣＴ抗原としてのｍＲＮＡ発現を示し、複数の癌患者血清中に当該ＫＵ−ＴＥＳ−１に対する  ＩｇＧ抗体が存在することから、癌抗原として少なくともＣＤ４＋Ｔ細胞に認識されることが明らかとなり、更にはＣＤ８＋Ｔ細胞にも認識されるものと考えられた。よって本発明のＫＵ−ＴＥＳ−１は、新たな癌抗原として癌の診断及び治療に応用することができる。
本発明は、以上のような知見に基づき完成するに至ったものである。
【００１０】
すなわち本発明は、
（１）  以下の（ａ）、（ｂ）、（ｃ）、（ｄ）または（ｅ）のいずれかのポリヌクレオチド：
（ａ）  配列番号：１、配列番号：３または配列番号：５に記載の塩基配列を含有するポリヌクレオチド、
（ｂ）  配列番号：２、配列番号：４または配列番号：６に記載のアミノ酸配列をコードする塩基配列を含有するポリヌクレオチド、
（ｃ）  前記（ａ）または（ｂ）のポリヌクレオチドの相補鎖に対してストリンジェントな条件下でハイブリダイズするポリヌクレオチドであって、かつ当該ポリヌクレオチドによりコードされるタンパク質が癌抗原として作用するポリヌクレオチド、
（ｄ）  前記（ａ）または（ｂ）のポリヌクレオチドと７０％以上の配列同一性を示す塩基配列を含有するポリヌクレオチドであって、かつ当該ポリヌクレオチドによりコードされるタンパク質が癌抗原として作用するポリヌクレオチド、
（ｅ）  前記（ａ）または（ｂ）のポリヌクレオチドによりコードされるタンパク質において１若しくは複数のアミノ酸が欠失、置換及び／又は付加されたアミノ酸配列を含有するタンパク質をコードするポリヌクレオチドであって、かつ当該ポリヌクレオチドによりコードされるタンパク質が癌抗原として作用するポリヌクレオチド、
（２）  前記（１）記載のポリヌクレオチドを含有する発現ベクター、
（３）  前記（２）記載の発現ベクターによって形質転換された形質転換体、
（４）  前記（３）記載の形質転換体を培養し、発現される組換えタンパク質を回収することからなる、組換えタンパク質の生産方法、
（５）  前記（１）記載のポリヌクレオチドによりコードされるか、または前記（４）記載の生産方法により生産されるタンパク質、
（６）  以下の（ａ）、（ｂ）または（ｃ）のいずれかのタンパク質：
（ａ）  配列番号：２、配列番号：４または配列番号：６に記載のアミノ酸配列を含有するタンパク質、
（ｂ）  前記（ａ）のアミノ酸配列において１若しくは複数のアミノ酸が欠失、置換及び／又は付加されたアミノ酸配列を含有するタンパク質であって、かつ当該タンパク質が癌抗原として作用するタンパク質、
（ｃ）  前記（ａ）のアミノ酸配列と７０％以上の配列同一性を示すアミノ酸配列を含有するタンパク質であって、かつ当該タンパク質が癌抗原として作用するタンパク質、
（７）  前記（１）記載のポリヌクレオチド、前記（２）記載の発現ベクター、前記（３）記載の形質転換体、あるいは前記（５）または（６）記載のタンパク質を有効成分として含有する医薬、
（８）  癌ワクチンとして使用される、前記（７）記載の医薬、
（９）  前記（５）または（６）記載のタンパク質に特異的に結合する抗体、
（１０）  前記（１）記載のポリヌクレオチドの塩基配列における連続する少なくとも１５塩基を含有するポリヌクレオチド及び／または該ポリヌクレオチドに相補的なポリヌクレオチドからなる癌マーカー、
（１１）  配列番号：１、配列番号：３または配列番号：５に記載の塩基配列における連続する少なくとも１５塩基を含有するポリヌクレオチド及び／または該ポリヌクレオチドに相補的なポリヌクレオチドからなる、前記（１０）記載の癌マーカー、
（１２）  前記（５）または（６）記載のタンパク質のアミノ酸配列における連続する少なくとも８アミノ酸を含有するポリペプチドからなる癌マーカー、
（１３）  配列番号：２、配列番号：４または配列番号：６に記載のアミノ酸配列における連続する少なくとも８アミノ酸を含有するポリペプチドからなる、前記（１２）記載の癌マーカー、
（１４）  前記（９）記載の抗体からなる癌マーカー、
（１５）  配列番号：２、配列番号：４または配列番号：６に記載のアミノ酸配列からなるタンパク質に対する抗体からなる、前記（１４）記載の癌マーカー、
（１６）  癌が膵癌、大腸癌、子宮体癌、前立腺癌、腎癌または肝癌である、前記（１０）〜（１５）いずれか記載の癌マーカー、
（１７）  前記（１０）〜（１６）いずれか記載の癌マーカーを含有してなる癌の診断薬、
（１８）  前記（５）または（６）記載のタンパク質の部分ペプチドであって、かつＨＬＡ抗原と結合してＣＴＬにより認識されるペプチド、
（１９）  前記（１８）記載のペプチドを含有するペプチド、
（２０）  前記（１８）または（１９）記載のペプチドをコードする塩基配列を含有するポリヌクレオチド、
（２１）  前記（２０）記載のポリヌクレオチドを含有する発現ベクター、
（２２）  前記（１８）または（１９）記載のペプチド、前記（２０）記載のポリヌクレオチド、あるいは前記（２１）記載の発現ベクターを有効成分として含有する医薬、ならびに
（２３）  癌ワクチンとして使用される、前記（２２）記載の医薬、に関する。
【００１１】
【発明の実施の形態】
１）本発明のポリヌクレオチド
本発明のポリヌクレオチドとは、以下の（ａ）、（ｂ）、（ｃ）、（ｄ）または（ｅ）のいずれかのポリヌクレオチドを指す：
（ａ）  配列番号：１、配列番号：３または配列番号：５に記載の塩基配列を含有するポリヌクレオチド、
（ｂ）  配列番号：２、配列番号：４または配列番号：６に記載のアミノ酸配列をコードする塩基配列を含有するポリヌクレオチド、
（ｃ）  前記（ａ）または（ｂ）のポリヌクレオチドの相補鎖に対してストリンジェントな条件下でハイブリダイズするポリヌクレオチドであって、かつ当該ポリヌクレオチドによりコードされるタンパク質が癌抗原として作用するポリヌクレオチド、
（ｄ）  前記（ａ）または（ｂ）のポリヌクレオチドと７０％以上の配列同一性を示す塩基配列を含有するポリヌクレオチドであって、かつ当該ポリヌクレオチドによりコードされるタンパク質が癌抗原として作用するポリヌクレオチド、
（ｅ）  前記（ａ）または（ｂ）のポリヌクレオチドによりコードされるタンパク質において１若しくは複数のアミノ酸が欠失、置換及び／又は付加されたアミノ酸配列を含有するタンパク質をコードするポリヌクレオチドであって、かつ当該ポリヌクレオチドによりコードされるタンパク質が癌抗原として作用するポリヌクレオチド。
【００１２】
より具体的には、以下の（Ａ）、（Ｂ）、（Ｃ）、（Ｄ）または（Ｅ）のいずれかのポリヌクレオチドが例示される：
（Ａ）  配列番号：１に記載の塩基配列を含有するポリヌクレオチド、
（Ｂ）  配列番号：２に記載のアミノ酸配列をコードする塩基配列を含有するポリヌクレオチド、
（Ｃ）  前記（Ａ）または（Ｂ）のポリヌクレオチドの相補鎖に対してストリンジェントな条件下でハイブリダイズするポリヌクレオチドであって、かつ当該ポリヌクレオチドによりコードされるタンパク質が癌抗原として作用するポリヌクレオチド、
（Ｄ）  前記（Ａ）または（Ｂ）のポリヌクレオチドと７０％以上の配列同一性を示す塩基配列を含有するポリヌクレオチドであって、かつ当該ポリヌクレオチドによりコードされるタンパク質が癌抗原として作用するポリヌクレオチド、
（Ｅ）  前記（Ａ）または（Ｂ）のポリヌクレオチドによりコードされるタンパク質において１若しくは複数のアミノ酸が欠失、置換及び／又は付加されたアミノ酸配列を含有するタンパク質をコードするポリヌクレオチドであって、かつ当該ポリヌクレオチドによりコードされるタンパク質が癌抗原として作用するポリヌクレオチド。
【００１３】
本発明のポリヌクレオチドは、種々の細胞や組織、例えばヒト精巣由来のｃＤＮＡやｍＲＮＡ、ｃＲＮＡ、ゲノムＤＮＡ、または合成ＤＮＡのいずれであっても良い。また本発明のポリヌクレオチドは１本鎖および２本鎖のいずれの形態もとることができる。
【００１４】
ここで配列番号：１に記載の塩基配列は、ヒト精巣由来ｃＤＮＡライブラリーを膵管癌患者血清でスクリーニングすることによりクローニングされたＫＵ−ＴＥＳ−１遺伝子の塩基配列であり、配列番号：２に記載のアミノ酸配列は当該ＫＵ−ＴＥＳ−１のアミノ酸配列に該当する。
配列番号：３に記載の塩基配列はＧｅｎＢａｎｋ  データベースにおいてＡｃｃｅｓｓｉｏｎ  Ｎｏ．  ＮＭ＿１７３０８１（Ａｃｃｅｓｓｉｏｎ  Ｎｏ．ＢＣ０３９３２１２）として登録されている機能未知の遺伝子の塩基配列であり、配列番号：４に記載のアミノ酸配列は当該遺伝子のアミノ酸配列に該当する。
【００１５】
配列番号：５に記載の塩基配列はＧｅｎＢａｎｋ  データベースにおいてＡｃｃｅｓｓｉｏｎ  Ｎｏ．  ＸＭ＿１６６１０９として登録されている機能未知の遺伝子の塩基配列であり、配列番号：６に記載のアミノ酸配列は当該遺伝子のアミノ酸配列に該当する。
これらＡｃｃｅｓｓｉｏｎ  Ｎｏ．  ＮＭ＿１７３０８１およびＡｃｃｅｓｓｉｏｎ  Ｎｏ．  ＸＭ＿１６６１０９で示されるタンパク質は、ＫＵ−ＴＥＳ−１のアミノ酸配列（配列番号２）の第３９１位までと同一の配列を有し、かつそのＣ末端側に新たな４８１アミノ酸残基を有するタンパク質であることから、ＫＵ−ＴＥＳ−１のスプライスバリアントであると考えられる（以下、これら配列番号：１、３および５に記載の塩基配列を含有する遺伝子をまとめて「ＫＵ−ＴＥＳ−１遺伝子」と称する場合がある）。
【００１６】
前記（ａ）（前記（Ａ））における配列番号：１、配列番号：３または配列番号：５に記載の塩基配列を含有するポリヌクレオチドとしては、配列番号：１、配列番号：３または配列番号：５に記載の塩基配列からなるポリヌクレオチドが挙げられる。
また、当該配列番号：１、配列番号：３または配列番号：５に記載の塩基配列からなるポリヌクレオチドの５’末端側及び／又は３’末端側に他の塩基配列の付加された塩基配列からなるポリヌクレオチドも挙げられる。当該ポリヌクレオチドは、配列番号：１、配列番号：３または配列番号：５に記載の塩基配列からなるポリヌクレオチドによりコードされるタンパク質と同様の作用を有するタンパク質をコードするものであれば良い。
【００１７】
前記（ｂ）（前記（Ｂ））における配列番号：２、配列番号：４または配列番号：６に記載のアミノ酸配列をコードする塩基配列を含有するポリヌクレオチドとしては、配列番号：２、配列番号：４または配列番号：６に記載のアミノ酸配列をコードする塩基配列からなるポリヌクレオチドが挙げられる。
また、当該配列番号：２、配列番号：４または配列番号：６に記載のアミノ酸配列をコードする塩基配列からなるポリヌクレオチドの５’末端側及び／又は３’末端側に他の塩基配列の付加された塩基配列からなるポリヌクレオチドも挙げられる。当該ポリヌクレオチドは、配列番号：２、配列番号：４または配列番号：６に記載のアミノ酸配列からなるポリペプチドと同様の作用を有するタンパク質をコードするものであれば良い。
【００１８】
これら配列番号：１、配列番号：３または配列番号：５に記載の塩基配列を含有するポリヌクレオチド、あるいは配列番号：２、配列番号：４または配列番号：６に記載のアミノ酸配列をコードする塩基配列を含有するポリヌクレオチドは、本明細書配列表の配列番号：１、配列番号：３または配列番号：５に開示されている塩基配列、あるいはＡｃｃｅｓｓｉｏｎ  Ｎｏ．  ＮＭ＿１７３０８１（Ａｃｃｅｓｓｉｏｎ  Ｎｏ．ＢＣ０３９３２１２）またはＡｃｃｅｓｓｉｏｎ  Ｎｏ．  ＸＭ＿１６６１０９において開示されている塩基配列の適当な部分をハイブリダイゼーションのプローブあるいはＰＣＲのプライマーに用いて、例えばヒト精巣細胞株（Ｈｓ  １．Ｔｅｓ細胞（ＡＴＣＣ  ＣＲＬ−７００２）、Ｈｓ  １８１．Ｔｅｓ細胞（ＡＴＣＣ  ＣＲＬ−７１３１）等）由来のｃＤＮＡライブラリーをスクリーニングすることなどによりクローニングすることができる。該クローニングは、例えばＭｏｌｅｃｕｌａｒ  Ｃｌｏｎｉｎｇ  ２ｎｄ  Ｅｄｔ．  Ｃｏｌｄ  Ｓｐｒｉｎｇ  Ｈａｒｂｏｒ  Ｌａｂｏｒａｔｏｒｙ  Ｐｒｅｓｓ  （１９８９）等の基本書に従い、当業者ならば容易に行うことができる。
【００１９】
前記（ｃ）（前記（Ｃ））における「前記（ａ）または（ｂ）（（Ａ）または（Ｂ））のポリヌクレオチドの相補鎖に対してストリンジェントな条件下でハイブリダイズするポリヌクレオチド」とは、例えば前記（ａ）または（ｂ）（（Ａ）または（Ｂ））のいずれかのポリヌクレオチドの塩基配列と約４０％以上、好ましくは約６０％以上、より好ましくは約７０％以上、より好ましくは約８０％以上、さらに好ましくは約９０％以上、最も好ましくは約９５％以上の配列同一性を有する塩基配列を含有するポリヌクレオチドが挙げられる。具体的には、前記（ａ）または（ｂ）（（Ａ）または（Ｂ））のいずれかのポリヌクレオチドの部分配列からなるポリヌクレオチドなどが挙げられる。
ハイブリダイゼーションは、自体公知の方法あるいはそれに準じる方法、例えばＭｏｌｅｃｕｌａｒ  Ｃｌｏｎｉｎｇ  ２ｎｄ  Ｅｄｔ．  Ｃｏｌｄ  Ｓｐｒｉｎｇ  Ｈａｒｂｏｒ  Ｌａｂｏｒａｔｏｒｙ  Ｐｒｅｓｓ  （１９８９）等の基本書に記載の方法に従って行うことができる。また市販のライブラリーを使用する場合、添付の使用説明書に記載の方法に従って行うことができる。
【００２０】
ここで「ストリンジェントな条件」とは、Ｂｅｒｇｅｒ  ａｎｄ  Ｋｉｍｍｅｌ  （１９８７，  Ｇｕｉｄｅ  ｔｏ  Ｍｏｌｅｃｕｌａｒ  Ｃｌｏｎｉｎｇ  Ｔｅｃｈｎｉｑｕｅｓ  Ｍｅｔｈｏｄｓ  ｉｎ  Ｅｎｚｙｍｏｌｏｇｙ，  Ｖｏｌ．  １５２，  Ａｃａｄｅｍｉｃ  Ｐｒｅｓｓ，  Ｓａｎ  Ｄｉｅｇｏ  ＣＡ）や前記Ｍｏｌｅｃｕｌａｒ  Ｃｌｏｎｉｎｇ  ２ｎｄ  Ｅｄｔ．  Ｃｏｌｄ  Ｓｐｒｉｎｇ  Ｈａｒｂｏｒ  Ｌａｂｏｒａｔｏｒｙ  Ｐｒｅｓｓ  （１９８９）に教示されるように、複合体或いはプローブを結合する核酸の融解温度（Ｔｍ）に基づいて決定することができる。
ハイブリダイゼーションの条件としては、例えば、６×ＳＳＣ（２０×ＳＳＣは、３３３ｍＭ  Ｓｏｄｉｕｍ  ｃｉｔｒａｔｅ、３３３ｍＭ  ＮａＣｌを示す）、０．５％ＳＤＳおよび５０％  ホルムアミドを含む溶液中で４２℃にてハイブリダイズさせる条件、または６×ＳＳＣを含む（５０％ホルムアミドは含まない）溶液中で６５℃にてハイブリダイズさせる条件などが挙げられる。
またハイブリダイゼーション後の洗浄の条件としては、「１×ＳＳＣ、０．１％ＳＤＳ、３７℃」程度の条件を挙げることができる。相補鎖はかかる条件で洗浄しても対象とする正鎖とハイブリダイズ状態を維持するものであることが好ましい。特に制限されないが、より厳しいハイブリダイズ条件として「０．５×ＳＳＣ、０．１％ＳＤＳ、４２℃」程度、さらに厳しいハイブリダイズ条件として「０．１×ＳＳＣ、０．１％ＳＤＳ、６５℃」程度の洗浄条件を挙げることができる。
【００２１】
前記（ｄ）（前記（Ｄ））における「前記（ａ）または（ｂ）（（Ａ）または（Ｂ））のポリヌクレオチドと７０％以上の配列同一性を示す塩基配列を含有するポリヌクレオチド」とは、例えば前記（ａ）または（ｂ）（（Ａ）または（Ｂ））のいずれかのポリヌクレオチドの塩基配列と約７０％以上、より好ましくは約８０％以上、さらに好ましくは約９０％以上、最も好ましくは約９５％以上の配列同一性を示す塩基配列を含有するポリヌクレオチドが挙げられる。具体的には、前記（ａ）または（ｂ）（（Ａ）または（Ｂ））のいずれかのポリヌクレオチドの部分配列からなるポリヌクレオチドなどが挙げられる。このような配列同一性を有するポリヌクレオチドは、前述のハイブリダイゼーション反応や通常のＰＣＲ反応により、または後述するポリヌクレオチドの改変（欠失、付加、置換）反応により作製することができる。
【００２２】
前記（ｅ）（前記（Ｅ））における「前記（ａ）または（ｂ）（（Ａ）または（Ｂ））のポリヌクレオチドによりコードされるタンパク質において１若しくは複数のアミノ酸が欠失、置換及び／又は付加されたアミノ酸配列を含有するタンパク質をコードするポリヌクレオチド」とは、人為的に作製したいわゆる改変タンパク質や、生体内に存在するアレル変異対等のタンパク質をコードするポリヌクレオチドを意味する。
【００２３】
ここでタンパク質におけるアミノ酸の変異数や変異部位は、本発明のポリヌクレオチドによりコードされるタンパク質の活性（癌抗原としての活性）が保持される限り制限はない。このように活性を喪失することなくアミノ酸残基が、どのように、何個欠失、置換及び／又は付加されればよいかを決定する指標は、当業者に周知のコンピュータプログラム、例えばＤＮＡ  Ｓｔａｒ  ｓｏｆｔｗａｒｅを用いて見出すことができる。例えば変異数は、典型的には、全アミノ酸の１０％以内であり、好ましくは全アミノ酸の５％以内である。また置換されるアミノ酸は、タンパク質の構造保持の観点から、残基の極性、電荷、可溶性、疎水性、親水性並びに両親媒性など、置換前のアミノ酸と似た性質を有するアミノ酸であることが好ましい。例えば、Ａｌａ、Ｖａｌ、Ｌｅｕ、Ｉｌｅ、Ｐｒｏ、Ｍｅｔ、Ｐｈｅ及びＴｒｐは互いに非極性アミノ酸に分類されるアミノ酸であり、Ｇｌｙ、Ｓｅｒ、Ｔｈｒ、Ｃｙｓ、Ｔｙｒ、Ａｓｎ及びＧｌｎは互いに非荷電性アミノ酸に分類されるアミノ酸であり、Ａｓｐ及びＧｌｕは互いに酸性アミノ酸に分類されるアミノ酸であり、またＬｙｓ、Ａｒｇ及びＨｉｓは互いに塩基性アミノ酸に分類されるアミノ酸である。ゆえに、これらを指標として同群に属するアミノ酸を適宜選択することができる。
【００２４】
この改変タンパク質をコードするポリヌクレオチドは、例えば、Ｍｏｌｅｃｕｌａｒ  Ｃｌｏｎｉｎｇ  ２ｎｄ  Ｅｄｔ．  Ｃｏｌｄ  Ｓｐｒｉｎｇ  Ｈａｒｂｏｒ  Ｌａｂｏｒａｔｏｒｙ  Ｐｒｅｓｓ  （１９８９）等の基本書に記載の種々の方法、例えば部位特異的変異誘発やＰＣＲ法等によって製造することができる。また市販のキットを用いて、Ｇａｐｐｅｄ  ｄｕｐｌｅｘ法やＫｕｎｋｅｌ法などの公知の方法に従って製造することもできる。
【００２５】
本発明のポリヌクレオチドは、当該ポリヌクレオチドによりコードされるタンパク質（以下本発明のタンパク質）が「癌抗原として作用する」という性質を有するポリヌクレオチドである。ここで「癌抗原として作用する」とは、本発明のタンパク質が、ヘルパーＴ細胞（ＣＤ４＋Ｔ細胞）に認識される性質を有すること、すなわち本発明のタンパク質の刺激によりヘルパーＴ細胞が誘導されることを意味する。活性化されたヘルパーＴ細胞は、Ｂ細胞が抗体産生細胞に分化・成熟する過程を介助する（Ｃｈａｒｌｅｓ  Ａ．  Ｊａｎｅｗａｙ，  Ｊｒ．ら著、ＩＭＭＵＮＯ  ＢＩＯＬＰＧＹ  ＦＯＵＲＴＨ  ＥＤＩＴＩＯＮ、ＣＵＲＲＥＮＴ  ＢＩＯＬＯＧＹ  ＰＵＢＬＩＣＡＴＩＯＮＳ、Ｐ３０７〜３３９）。結果として、後述の実施例に示すように、本発明のタンパク質に対するＩｇＧ抗体が血清中に出現する。
活性化されたヘルパーＴ細胞は、ＣＴＬの分化の誘導や維持、およびマクロファージなどのエフェクター活性化等の作用を発揮し、抗腫瘍免疫応答に重要な役割を果たす。
【００２６】
本発明のタンパク質がヘルパーＴ細胞（ＣＤ４＋Ｔ細胞）に認識される性質を有することは、例えば末梢血単核球をｉｎ  ｖｉｔｒｏで本発明のタンパク質で刺激して特異的なヘルパーＴ細胞を誘導することにより（Ｃｌｉｎ  Ｅｘｐ  Ｉｍｍｕｎｏｌ  １０５（３）：４２９−３５、１９９６）、調べることができる。
【００２７】
また前記「癌抗原として作用する」の範疇には、前記のようにヘルパーＴ細胞（ＣＤ４＋Ｔ細胞）に認識される性質に加え、細胞障害性Ｔ細胞（ｃｙｔｏｔｏｓｉｃ  Ｔ  ｌｙｍｐｈｏｃｙｔｅ（ＣＴＬ）、ＣＤ８＋Ｔ細胞）に認識される性質を有する場合も含まれる。ここでＣＴＬ（ＣＤ８＋Ｔ細胞）に認識されるとは、本発明のタンパク質を発現させた細胞がＣＴＬにより認識される、すなわち当該細胞がＣＴＬに反応性を示す、換言すれば本発明のタンパク質若しくは該タンパク質に由来するペプチドがＣＴＬを活性化する若しくはＣＴＬを誘導するという性質を示す。ここで細胞とは、ＨＬＡ抗原を発現する細胞であることが好ましい。
【００２８】
本発明タンパク質のＣＴＬ誘導活性は、自体公知の方法あるいはそれに準じる方法（例えば５１Ｃｒリリースアッセイ（Ｊ．Ｉｍｍｕｎｏｌ．，１５９：４７５３，１９９７）、ＬＤＨリリースアッセイ（ＬＤＨ  Ｃｙｔｏｔｏｘｉｃｉｔｙ  Ｄｅｔｅｃｔｉｏｎ  Ｋｉｔ（タカラバイオ）、サイトカイン量の測定等）により容易に測定することができる。以下に具体的なアッセイ法を例示する。
【００２９】
まず、アフリカミドリザル腎臓由来のＣＯＳ−７（ＡＴＣＣ  ＣＲＬ１６５１）や繊維芽細胞ＶＡ−１３（理化学研究所細胞開発銀行）といった癌抗原タンパク質を発現していない細胞に対し、本発明タンパク質をコードするＤＮＡを含有する発現ベクターと、ＨＬＡ抗原をコードするＤＮＡを含有する発現ベクターとをトランスフェクトする。ここで用いるＨＬＡ抗原をコードするＤＮＡとしては、例えばＨＬＡ−Ａ２４抗原をコードするＤＮＡ若しくはＨＬＡ−Ａ２抗原をコードするＤＮＡが挙げられる。ＨＬＡ−Ａ２４抗原をコードするＤＮＡとしてはＨＬＡ−Ａ２４０２のｃＤＮＡ（Ｃａｎｃｅｒ  Ｒｅｓ．，  ５５：  ４２４８−４２５２  （１９９５）、Ｇｅｎｂａｎｋ  Ａｃｃｅｓｓｉｏｎ  Ｎｏ．Ｍ６４７４０）が挙げられる。またＨＬＡ−Ａ２抗原をコードするＤＮＡとしてはＨＬＡ−Ａ２のｃＤＮＡ（Ｇｅｎｂａｎｋ  Ａｃｃｅｓｓｉｏｎ  Ｎｏ．Ｍ８４３７９）が挙げられる。
【００３０】
前記トランスフェクトは、例えばリポフェクトアミン試薬（ＧＩＢＣＯ  ＢＲＬ社製）を用いたリポフェクチン法などにより行うことができる。その後、用いたＨＬＡ抗原に拘束性のＣＴＬを加えて作用させ、該ＣＴＬが反応（活性化）して産生する種々のサイトカイン、例えばＩＦＮ−γの量を、例えばＥＬＩＳＡ法などで測定することにより調べることができる。ここでＣＴＬとしては、ヒトの末梢血リンパ球を本発明タンパク質（例えば配列番号２、４または６に記載のタンパク質）で刺激することにより調製されたＣＴＬや、Ｉｎｔ．  Ｊ．  Ｃａｎｃｅｒ，  ３９，  ３９０−３９６，  １９８７，  Ｎ．  Ｅｎｇ．  Ｊ．  Ｍｅｄ，  ３３３，  １０３８−１０４４，  １９９５等に記載の方法により樹立したＣＴＬを用いることができる。
また本発明のタンパク質は、例えばヒトモデル動物を用いたアッセイ（ＷＯ  ０２／４７４７４  号公報、Ｉｎｔ  Ｊ．  Ｃａｎｃｅｒ：１００，５６５−５７０  （２００２））に供することにより、ｉｎ  ｖｉｖｏでのＣＴＬ誘導活性を調べることができる。
【００３１】
２）本発明の発現ベクターおよび形質転換体
前記本発明のポリヌクレオチドが２本鎖の場合、発現ベクターに挿入することにより、本発明のタンパク質を発現するための組換え発現ベクターを作製することができる。
【００３２】
ここで用いる発現ベクターとしては、用いる宿主や目的等に応じて適宜選択することができ、プラスミド、ファージベクター、ウイルスベクター等が挙げられる。
【００３３】
例えば、宿主が大腸菌の場合、ベクターとしては、ｐＵＣ１１８、ｐＵＣ１１９、ｐＢＲ３２２、ｐＣＲ３等のプラスミドベクター、λＺＡＰＩＩ、λｇｔ１１などのファージベクターが挙げられる。宿主が酵母の場合、ベクターとしては、ｐＹＥＳ２、ｐＹＥＵｒａ３などが挙げられる。宿主が昆虫細胞の場合には、ｐＡｃＳＧＨｉｓＮＴ−Ａなどが挙げられる。宿主が動物細胞の場合には、ｐＣＥＰ４、ｐＫＣＲ、ｐＣＤＭ８、ｐＧＬ２、ｐｃＤＮＡ３．１、ｐＲｃ／ＲＳＶ、ｐＲｃ／ＣＭＶなどのプラスミドベクターや、レトロウイルスベクター、アデノウイルスベクター、アデノ関連ウイルスベクターなどのウイルスベクターが挙げられる。
【００３４】
前記ベクターは、発現誘導可能なプロモーター、シグナル配列をコードする遺伝子、選択用マーカー遺伝子、ターミネーターなどの因子を適宜有していても良い。
また、単離精製が容易になるように、チオレドキシン、Ｈｉｓタグ、あるいはＧＳＴ（グルタチオンＳ−トランスフェラーゼ）等との融合タンパク質として発現する配列が付加されていても良い。この場合、宿主細胞内で機能する適切なプロモーター（ｌａｃ、ｔａｃ、ｔｒｃ、ｔｒｐ、ＣＭＶ、ＳＶ４０初期プロモーターなど）を有するＧＳＴ融合タンパクベクター（ｐＧＥＸ４Ｔなど）や、Ｍｙｃ、Ｈｉｓなどのタグ配列を有するベクター（ｐｃＤＮＡ３．１／Ｍｙｃ−Ｈｉｓなど）、さらにはチオレドキシンおよびＨｉｓタグとの融合タンパク質を発現するベクター（ｐＥＴ３２ａ）などを用いることができる。
【００３５】
前記で作製された発現ベクターで宿主を形質転換することにより、当該発現ベクターを含有する形質転換細胞を作製することができる。
ここで用いられる宿主としては、大腸菌、酵母、昆虫細胞、動物細胞などが挙げられる。大腸菌としては、Ｅ．ｃｏｌｉ  Ｋ−１２系統のＨＢ１０１株、Ｃ６００株、ＪＭ１０９株、ＤＨ５α株、ＡＤ４９４（ＤＥ３）株などが挙げられる。また酵母としては、サッカロミセス・セルビジエなどが挙げられる。動物細胞としては、Ｌ９２９細胞、ＢＡＬＢ／ｃ３Ｔ３細胞、Ｃ１２７細胞、ＣＨＯ細胞、ＣＯＳ細胞、Ｖｅｒｏ細胞、Ｈｅｌａ細胞、２９３−ＥＢＮＡ細胞などが挙げられる。昆虫細胞としてはｓｆ９などが挙げられる。
【００３６】
宿主細胞への発現ベクターの導入方法としては、前記宿主細胞に適合した通常の導入方法を用いれば良い。具体的にはリン酸カルシウム法、ＤＥＡＥ−デキストラン法、エレクトロポレーション法、遺伝子導入用リピッド（Ｌｉｐｏｆｅｃｔａｍｉｎｅ、Ｌｉｐｏｆｅｃｔｉｎ；  Ｇｉｂｃｏ−ＢＲＬ社）を用いる方法などが挙げられる。導入後、選択マーカーを含む通常の培地にて培養することにより、前記発現ベクターが宿主細胞中に導入された形質転換細胞を選択することができる。
【００３７】
以上のようにして得られた形質転換細胞を好適な条件下で培養し続けることにより、本発明のタンパク質を製造することができる。得られたタンパク質は、一般的な生化学的精製手段により、さらに単離・精製することができる。ここで精製手段としては、塩析、イオン交換クロマトグラフィー、吸着クロマトグラフィー、アフィニティークロマトグラフィー、ゲルろ過クロマトグラフィー等が挙げられる。また本発明のタンパク質を、前述のチオレドキシンやＨｉｓタグ、ＧＳＴ等との融合タンパク質として発現させた場合は、これら融合タンパク質やタグの性質を利用した精製法により単離・精製することができる。
【００３８】
３）本発明のタンパク質
本発明のタンパク質とは、本発明のポリヌクレオチドによりコードされるか、または本発明の形質転換体から前記手法により生産されるタンパク質である。本発明のタンパク質は、天然物に由来するタンパク質であってもよく、また組換えタンパク質であっても良い。
【００３９】
具体的には以下の（ａ）、（ｂ）または（ｃ）のいずれかのタンパク質が挙げられる：
（ａ）  配列番号：２、配列番号：４または配列番号：６に記載のアミノ酸配列を含有するタンパク質、
（ｂ）  前記（ａ）のアミノ酸配列において１若しくは複数のアミノ酸が欠失、置換及び／又は付加されたアミノ酸配列を含有するタンパク質であって、かつ当該タンパク質が癌抗原として作用するタンパク質、
（ｃ）  前記（ａ）のアミノ酸配列と７０％以上の配列同一性を示すアミノ酸配列を含有するタンパク質であって、かつ当該タンパク質が癌抗原として作用するタンパク質。
【００４０】
より具体的には、以下の（Ａ）、（Ｂ）または（Ｃ）のいずれかのタンパク質が例示される：
（Ａ）  配列番号：２に記載のアミノ酸配列を含有するタンパク質、
（Ｂ）  前記（Ａ）のアミノ酸配列において１若しくは複数のアミノ酸が欠失、置換及び／又は付加されたアミノ酸配列を含有するタンパク質であって、かつ当該タンパク質が癌抗原として作用するタンパク質、
（Ｃ）  前記（Ａ）のアミノ酸配列と７０％以上の配列同一性を示すアミノ酸配列を含有するタンパク質であって、かつ当該タンパク質が癌抗原として作用するタンパク質。
【００４１】
ここで配列番号：２に記載のアミノ酸配列は、ヒト精巣由来ｃＤＮＡライブラリーを膵管癌患者血清でスクリーニングすることによりクローニングされたＫＵ−ＴＥＳ−１遺伝子をコードするアミノ酸配列である。
配列番号：４に記載のアミノ酸配列は、ＧｅｎＢａｎｋ  データベースにおいてＡｃｃｅｓｓｉｏｎ  Ｎｏ．  ＮＭ＿１７３０８１（Ａｃｃｅｓｓｉｏｎ  Ｎｏ．ＢＣ０３９３２１２）として登録されている機能未知の遺伝子をコードするアミノ酸配列である。
配列番号：６に記載のアミノ酸配列は、ＧｅｎＢａｎｋ  データベースにおいてＡｃｃｅｓｓｉｏｎ  Ｎｏ．  ＸＭ＿１６６１０９として登録されている機能未知の遺伝子をコードするアミノ酸配列である。
これらＡｃｃｅｓｓｉｏｎ  Ｎｏ．  ＮＭ＿１７３０８１およびＡｃｃｅｓｓｉｏｎ  Ｎｏ．  ＸＭ＿１６６１０９で示されるタンパク質は、ＫＵ−ＴＥＳ−１のアミノ酸配列（配列番号２）の第３９１位までと同一の配列を有し、かつそのＣ末端側に新たな４８１アミノ酸残基を有するタンパク質であることから、ＫＵ−ＴＥＳ−１のスプライスバリアントであると考えられる（以下、これら配列番号：２、４および６に記載のアミノ酸配列を含有するタンパク質をまとめて「ＫＵ−ＴＥＳ−１」と称する場合がある）。
【００４２】
前記（ａ）（前記（Ａ））における配列番号：２、配列番号：４または配列番号：６に記載のアミノ酸配列を含有するタンパク質としては、配列番号：２、配列番号：４または配列番号：６に記載のアミノ酸配列からなるタンパク質が挙げられる。
また、当該配列番号：２、配列番号：４または配列番号：６に記載のアミノ酸配列からなるタンパク質の５’末端側及び／又は３’末端側に他のアミノ酸配列の付加されたアミノ酸配列からなるタンパク質も挙げられる。当該タンパク質は、配列番号：２、配列番号：４または配列番号：６に記載のアミノ酸配列からなるタンパク質と同様の作用を有するタンパク質であれば良い。
【００４３】
前記（ｂ）（前記（Ｂ））における「前記（ａ）（前記（Ａ））のアミノ酸配列において１若しくは複数のアミノ酸が欠失、置換及び／又は付加されたアミノ酸配列を含有するタンパク質」とは、人為的に作製したいわゆる改変タンパク質や、生体内に存在するアレル変異対等のタンパク質を意味する。
ここでタンパク質におけるアミノ酸の変異数や変異部位は、本発明タンパク質の活性（癌抗原としての活性）が保持される限り制限はない。このように活性を喪失することなくアミノ酸残基が、どのように、何個欠失、置換及び／又は付加されればよいかを決定する指標は、当業者に周知のコンピュータプログラム、例えばＤＮＡ  Ｓｔａｒ  ｓｏｆｔｗａｒｅを用いて見出すことができる。例えば変異数は、典型的には、全アミノ酸の１０％以内であり、好ましくは全アミノ酸の５％以内である。また置換されるアミノ酸は、タンパク質の構造保持の観点から、残基の極性、電荷、可溶性、疎水性、親水性並びに両親媒性など、置換前のアミノ酸と似た性質を有するアミノ酸であることが好ましい。例えば、Ａｌａ、Ｖａｌ、Ｌｅｕ、Ｉｌｅ、Ｐｒｏ、Ｍｅｔ、Ｐｈｅ及びＴｒｐは互いに非極性アミノ酸に分類されるアミノ酸であり、Ｇｌｙ、Ｓｅｒ、Ｔｈｒ、Ｃｙｓ、Ｔｙｒ、Ａｓｎ及びＧｌｎは互いに非荷電性アミノ酸に分類されるアミノ酸であり、Ａｓｐ及びＧｌｕは互いに酸性アミノ酸に分類されるアミノ酸であり、またＬｙｓ、Ａｒｇ及びＨｉｓは互いに塩基性アミノ酸に分類されるアミノ酸である。ゆえに、これらを指標として同群に属するアミノ酸を適宜選択することができる。
【００４４】
前記（ｃ）（前記（Ｃ））における「前記（ａ）（前記（Ａ））のアミノ酸配列と７０％以上の配列同一性を示すアミノ酸配列を含有するタンパク質」とは、例えば前記（ａ）（前記（Ａ））のタンパク質のアミノ酸配列と約７０％以上、より好ましくは約８０％以上、さらに好ましくは約９０％以上、最も好ましくは約９５％以上の配列同一性を示すアミノ酸配列を含有するタンパク質が挙げられる。具体的には、前記（ａ）（前記（Ａ））のタンパク質の部分配列からなるタンパク質などが挙げられる。
【００４５】
本発明のタンパク質は、癌抗原として作用するという性質を有する。当該「癌抗原として作用する」とは、本発明のタンパク質が、ヘルパーＴ細胞（ＣＤ４＋Ｔ細胞）に認識される性質を有すること、すなわち本発明のタンパク質の刺激によりヘルパーＴ細胞が誘導されることを意味する。活性化されたヘルパーＴ細胞は、Ｂ細胞が抗体産生細胞に分化・成熟する過程を介助する（Ｃｈａｒｌｅｓ  Ａ．  Ｊａｎｅｗａｙ，  Ｊｒ．ら著、ＩＭＭＵＮＯ  ＢＩＯＬＰＧＹ  ＦＯＵＲＴＨ  ＥＤＩＴＩＯＮ、ＣＵＲＲＥＮＴ  ＢＩＯＬＯＧＹ  ＰＵＢＬＩＣＡＴＩＯＮＳ、Ｐ３０７〜３３９）。結果として、後述の実施例に示すように、本発明のタンパク質に対するＩｇＧ抗体が血清中に出現する。
活性化されたヘルパーＴ細胞は、ＣＴＬの分化の誘導や維持、およびマクロファージなどのエフェクター活性化等の作用を発揮し、抗腫瘍免疫応答に重要な役割を果たす。
【００４６】
本発明のタンパク質がヘルパーＴ細胞（ＣＤ４＋Ｔ細胞）に認識される性質を有することは、例えば末梢血単核球をｉｎ  ｖｉｔｒｏで本発明のタンパク質で刺激して特異的なヘルパーＴ細胞を誘導することにより（Ｃｌｉｎ  Ｅｘｐ  Ｉｍｍｕｎｏｌ  １０５（３）：４２９−３５、１９９６）、調べることができる。
【００４７】
また前記「癌抗原として作用する」の範疇には、前記のようにヘルパーＴ細胞（ＣＤ４＋Ｔ細胞）に認識される性質に加え、細胞障害性Ｔ細胞（ｃｙｔｏｔｏｓｉｃ  Ｔ  ｌｙｍｐｈｏｃｙｔｅ（ＣＴＬ）、ＣＤ８＋Ｔ細胞）に認識される性質を有する場合も含まれる。ここでＣＴＬ（ＣＤ８＋Ｔ細胞）に認識されるとは、本発明のタンパク質を発現させた細胞がＣＴＬにより認識される、すなわち当該細胞がＣＴＬに反応性を示す、換言すれば本発明のタンパク質若しくは該タンパク質に由来するペプチドがＣＴＬを活性化する若しくはＣＴＬを誘導するという性質を示す。ここで細胞とは、ＨＬＡ抗原を発現する細胞であることが好ましい。
【００４８】
このような本発明タンパク質のＣＴＬ誘導活性は、自体公知の方法あるいはそれに準じる方法（例えば５１Ｃｒリリースアッセイ（Ｊ．Ｉｍｍｕｎｏｌ．，１５９：４７５３，１９９７）、ＬＤＨリリースアッセイ（ＬＤＨ  Ｃｙｔｏｔｏｘｉｃｉｔｙ  Ｄｅｔｅｃｔｉｏｎ  Ｋｉｔ（タカラバイオ）、サイトカイン量の測定等）により容易に測定することができる。さらに本発明のタンパク質は、例えばヒトモデル動物を用いたアッセイ（ＷＯ  ０２／４７４７４  号公報、Ｉｎｔ  Ｊ．  Ｃａｎｃｅｒ：１００，５６５−５７０  （２００２））に供することにより、ｉｎ  ｖｉｖｏでのＣＴＬ誘導活性を調べることができる。これらの活性の測定法は前記「１）本発明のポリヌクレオチド」の項に記載したとおりである。
【００４９】
本発明のタンパク質は、天然物（例えば精巣細胞株）から自体公知のタンパク質の精製方法によって製造することもできるし、また前述したように本発明のタンパク質をコードするポリヌクレオチドを含有する発現ベクターで宿主細胞を形質転換して作製された形質転換体を培養することによっても製造することができる。
【００５０】
４）本発明のペプチド
本発明においてペプチドとは、本発明のタンパク質の部分ペプチドであって、かつＨＬＡ抗原と結合してＣＴＬにより認識される癌抗原ペプチドである。すなわち、前記した本発明のタンパク質のアミノ酸配列の一部よりなるペプチドであって、かつ、該ペプチドとＨＬＡ抗原との結合複合体がＣＴＬにより認識されるような、いわゆる癌抗原ペプチドであれば、本発明のタンパク質のアミノ酸配列中の如何なる位置に存する如何なる長さのペプチドであっても良い。
このような本発明のペプチドは、本発明のタンパク質の一部よりなる候補ペプチドを合成し、該候補ペプチドとＨＬＡ抗原との複合体がＣＴＬにより認識されるか否か、すなわち候補ペプチドが癌抗原ペプチドとしての活性を有するか否かをアッセイすることにより、同定することができる。
【００５１】
ここで、ペプチドの合成については、通常のペプチド化学において用いられる方法に準じて行うことができる。該公知方法としては文献（ペプタイド・シンセシス（Ｐｅｐｔｉｄｅ  Ｓｙｎｔｈｅｓｉｓ），Ｉｎｔｅｒｓｃｉｅｎｃｅ，Ｎｅｗ  Ｙｏｒｋ，１９６６；ザ・プロテインズ（Ｔｈｅ  Ｐｒｏｔｅｉｎｓ），Ｖｏｌ  ２，Ａｃａｄｅｍｉｃ  Ｐｒｅｓｓ  Ｉｎｃ．，Ｎｅｗ  Ｙｏｒｋ，１９７６；ペプチド合成，丸善（株），１９７５；ペプチド合成の基礎と実験、丸善（株），１９８５；医薬品の開発  続  第１４巻・ペプチド合成，広川書店，１９９１）などに記載されている方法が挙げられる。
【００５２】
次に、本発明の癌抗原ペプチドの同定方法につき、以下に記述する。
ＨＬＡ−Ａ１，  −Ａ０２０１，  −Ａ０２０４，  −Ａ０２０５，  −Ａ０２０６，  −Ａ０２０７，  −Ａ１１，  −Ａ２４，  −Ａ３１，  −Ａ６８０１，  −Ｂ７，  −Ｂ８，  −Ｂ２７０５，  −Ｂ３７，  −Ｃｗ０４０１，  −Ｃｗ０６０２などのＨＬＡの型については、該ＨＬＡに結合して提示される抗原ペプチドの配列の規則性（モチーフ）が判明している（例えばＩｍｍｕｎｏｇｅｎｅｔｉｃｓ，４１：ｐ１７８，１９９５などを参照のこと）。例えばＨＬＡ−Ａ２４のモチーフとしては、８〜１１アミノ酸よりなるペプチドのうちの第２位のアミノ酸がチロシン、フェニルアラニン、メチオニンまたはトリプトファンであり、Ｃ末端のアミノ酸がフェニルアラニン、ロイシン、イソロイシン、トリプトファンまたはメチオニンとなることが知られている（Ｊ．Ｉｍｍｕｎｏｌ．，１５２，ｐ３９１３，１９９４、Ｉｍｍｕｎｏｇｅｎｅｔｉｃｓ，４１：ｐ１７８，１９９５、Ｊ．Ｉｍｍｕｎｏｌ．，１５５：ｐ４３０７，１９９４）。またＨＬＡ−Ａ２のモチーフについては、以下の表１に示したモチーフが知られている（Ｉｍｍｕｎｏｇｅｎｅｔｉｃｓ，４１，ｐ１７８，１９９５、  Ｊ．Ｉｍｍｕｎｏｌ．，１５５：ｐ４７４９，１９９５）。
【００５３】
【表１】
2004248585.tif 000002
【００５４】
さらに近年、ＨＬＡ抗原に結合可能と予想されるペプチド配列を、インターネット上、ＮＩＨのＢＩＭＡＳのソフトを使用することにより検索することができる（ｈｔｔｐ：／／ｂｉｍａｓ．ｄｃｒｔ．ｎｉｈ．ｇｏｖ／ｍｏｌｂｉｏ／ｈｌａ＿ｂｉｎｄ／  ）。
ペプチドの長さとしては、各種ＨＬＡ分子に結合している抗原ペプチドの解析により（Ｉｍｍｕｎｏｇｅｎｅｔｉｃｓ，４１：１７８，１９９５）、通常８から１４アミノ酸程度であることが明らかにされている（ただしＨＬＡ‐ＤＲ、‐ＤＰ、‐ＤＱについては、１４アミノ酸以上の長さの抗原ペプチドも認められる）。
【００５５】
これらのモチーフに関わるペプチド部分を本発明のタンパク質のアミノ酸配列中から選び出すのは容易である。例えば、前記ＢＩＭＡＳソフトでの検索により、ＨＬＡ抗原に結合可能と予想される配列を容易に選び出すことができる。選び出された候補ペプチドを前述の方法にて合成し、該候補ペプチドとＨＬＡ抗原との複合体がＣＴＬにより認識されるか否か、すなわち候補ペプチドが癌抗原ペプチドとしての活性を有するか否かを測定することにより、本発明のペプチドを同定することができる。
【００５６】
本発明の癌抗原ペプチドの具体的な同定法としては、例えば  Ｊ．Ｉｍｍｕｎｏｌ．，１５４，ｐ２２５７，１９９５に記載の方法が挙げられる。すなわち、候補ペプチドを提示すると考えられるタイプのＨＬＡ抗原が陽性のヒトから末梢血リンパ球を単離し、ｉｎ  ｖｉｔｒｏで該候補ペプチドを添加して刺激した場合に、該候補ペプチドをパルスしたＨＬＡ抗原陽性細胞を特異的に認識するＣＴＬが誘導された場合は、該候補ペプチドが癌抗原ペプチドに成り得ることが示される。ここでＣＴＬの誘導の有無は、例えば、抗原ペプチド提示細胞に反応してＣＴＬが産生する種々のサイトカイン（例えばＩＦＮ−γ）の量を、例えばＥＬＩＳＡ法などによって測定することにより、調べることができる。また５１Ｃｒで標識した抗原ペプチド提示細胞に対するＣＴＬの傷害性を測定する方法（５１Ｃｒリリースアッセイ、Ｉｎｔ．Ｊ．Ｃａｎｃｅｒ，５８：ｐ３１７，１９９４）によっても調べることができる。
【００５７】
さらに、候補ペプチドを提示すると考えられるタイプのＨＬＡ抗原のｃＤＮＡを発現する発現プラスミドを、例えばアフリカミドリザル腎臓由来のＣＯＳ−７（ＡＴＣＣ  ＣＲＬ１６５１）や繊維芽細胞ＶＡ−１３（理化学研究所細胞開発銀行）に導入した細胞に対して候補ペプチドをパルスし、この細胞に対して、前記候補ペプチドを提示すると考えられるタイプのＨＬＡ抗原に拘束性のＣＴＬを反応させ、該ＣＴＬが産生する種々のサイトカイン（例えばＩＦＮ−γ）の量を測定することによっても、調べることができる（Ｊ．Ｅｘｐ．Ｍｅｄ．，１８７：  ２７７，１９９８）。
【００５８】
ここでＨＬＡ抗原としては、ＨＬＡ−Ａ２４抗原若しくはＨＬＡ−Ａ２抗原が挙げられる。ＨＬＡ−Ａ２４拘束性の癌抗原ペプチドを選択する場合には、前記ＨＬＡ抗原をコードするｃＤＮＡとしてはＨＬＡ−Ａ２４０２のｃＤＮＡ（Ｃａｎｃｅｒ  Ｒｅｓ．，  ５５：  ４２４８−４２５２  （１９９５）、Ｇｅｎｂａｎｋ  Ａｃｃｅｓｓｉｏｎ  Ｎｏ．Ｍ６４７４０）を用いることができる。またＨＬＡ−Ａ２拘束性の癌抗原ペプチドを選択する場合は、前記ＨＬＡ抗原をコードするｃＤＮＡとしてはＨＬＡ−Ａ２のｃＤＮＡ（Ｇｅｎｂａｎｋ  Ａｃｃｅｓｓｉｏｎ  Ｎｏ．Ｍ８４３７９）を用いることができる。
また前記ＣＴＬとしては、ヒトの末梢血リンパ球のペプチド刺激により調製される場合の他、Ｉｎｔ．  Ｊ．  Ｃａｎｃｅｒ，  ３９，  ３９０−３９６，  １９８７，  Ｎ．  Ｅｎｇ．  Ｊ．  Ｍｅｄ，  ３３３，  １０３８−１０４４，  １９９５等に記載の方法により樹立したＣＴＬを用いることができる。
また本発明のペプチドは、例えばヒトモデル動物を用いたアッセイ（ＷＯ  ０２／４７４７４  号公報、Ｉｎｔ  Ｊ．  Ｃａｎｃｅｒ：１００，５６５−５７０  （２００２））に供することにより、ｉｎ  ｖｉｖｏでの活性を調べることができる。
【００５９】
以上のような本発明のペプチドとして、具体的には、配列番号：２、配列番号：４または配列番号：６に記載のアミノ酸配列からなる本発明タンパク質の部分ペプチドであって、かつＨＬＡ抗原と結合してＣＴＬにより認識されるペプチドが挙げられる。より具体的には配列番号：２、配列番号：４または配列番号：６に記載のアミノ酸配列を前記ＢＩＭＡＳソフトに供して選択されるペプチドであって、かつＨＬＡ抗原と結合してＣＴＬにより認識されるペプチドが挙げられる。好ましくは、配列番号：２に記載のアミノ酸配列を前記ＢＩＭＡＳソフトに供して選択されるペプチドであって、かつＨＬＡ抗原と結合してＣＴＬにより認識されるペプチドが挙げられる。
【００６０】
本発明のペプチドは、本発明のタンパク質のアミノ酸配列の一部からなるペプチド、より具体的には配列番号：２、配列番号：４または配列番号：６に記載のアミノ酸配列の一部からなるペプチドのみならず、そのアミノ酸配列の一部を改変（欠失、置換及び／又は付加）したペプチド（以下、当該改変に係るペプチドを「改変ペプチド」と称する場合がある）であっても、ＨＬＡ抗原と結合してＣＴＬにより認識されるという性質を有する限り、本発明のペプチドの範疇に含まれる。すなわち、本発明タンパク質のアミノ酸配列、より具体的には配列番号：２、配列番号：４または配列番号：６に記載のアミノ酸配列の一部からなる本発明のペプチドのアミノ酸配列に対して、１又はそれ以上のアミノ酸残基の改変を施した改変ペプチドであって、かつＨＬＡ抗原と結合してＣＴＬにより認識されるという癌抗原ペプチドとしての活性を有するものは、本発明のペプチドの範疇に含まれる。
【００６１】
ここで、アミノ酸残基の「改変」とは、アミノ酸残基の置換、欠失、及び／又は付加（ペプチドのＮ末端、Ｃ末端へのアミノ酸の付加も含む）を意味し、好ましくはアミノ酸残基の置換が挙げられる。アミノ酸残基の置換に係る改変の場合、置換されるアミノ酸残基の数および位置は、癌抗原ペプチドとしての活性が維持される限り、任意であるが、前記したように通常、癌抗原ペプチドの長さが８〜１４アミノ酸程度であることから、１個から数個の範囲が好ましい。
本発明の改変ペプチドの長さとしては、８〜１４アミノ酸程度が好ましい（ただしＨＬＡ−ＤＲ、−ＤＰ、−ＤＱについては、１４アミノ酸以上の長さの場合もある。）
【００６２】
先に記載したように、ＨＬＡ−Ａ１，  −Ａ０２０１，  −Ａ０２０４，  −Ａ０２０５，  −Ａ０２０６，  −Ａ０２０７，  −Ａ１１，  −Ａ２４，  −Ａ３１，  −Ａ６８０１，  −Ｂ７，  −Ｂ８，  −Ｂ２７０５，  −Ｂ３７，  −Ｃｗ０４０１，  −Ｃｗ０６０２などのＨＬＡの型については、該ＨＬＡに結合して提示される抗原ペプチドの配列の規則性（モチーフ）が判明している。また前記したように、ＨＬＡ抗原に結合可能と予想されるペプチド配列をインターネット上検索することができる（ｈｔｔｐ：／／ｂｉｍａｓ．ｄｃｒｔ．ｎｉｈ．ｇｏｖ／ｍｏｌｂｉｏ／ｈｌａ＿ｂｉｎｄ／  ）。従って、該モチーフ等に基づき、前記改変ペプチドを作製することが可能である。
【００６３】
例えばＨＬＡ−Ａ２４に結合して提示される抗原ペプチドのモチーフとしては、前記したように、８〜１１アミノ酸よりなるペプチドのうちの第２位のアミノ酸がチロシン、フェニルアラニン、メチオニンまたはトリプトファンであり、Ｃ末端のアミノ酸がフェニルアラニン、ロイシン、イソロイシン、トリプトファンまたはメチオニンであることが知られている（Ｊ．Ｉｍｍｕｎｏｌ．，  １５２：ｐ３９１３，１９９４、Ｉｍｍｕｎｏｇｅｎｅｔｉｃｓ，４１：ｐ１７８，１９９５、Ｊ．Ｉｍｍｕｎｏｌ．，１５５：ｐ４３０７，１９９４）。またＨＬＡ−Ａ２の場合は、前記の表１に記載のモチーフが知られている。またインターネット上でＨＬＡ抗原に結合可能と予想されるペプチド配列が示されており（ｈｔｔｐ：／／ｂｉｍａｓ．ｄｃｒｔ．ｎｉｈ．ｇｏｖ／ｍｏｌｂｉｏ／ｈｌａ＿ｂｉｎｄ／）、例えば前記モチーフ上とり得るアミノ酸に類似の性質を持つアミノ酸が許容される。従って、これらモチーフ上アミノ酸の置換が可能な位置（ＨＬＡ−Ａ２４、ＨＬＡ−Ａ２においてはペプチドの第２位とＣ末端）にあるアミノ酸を他のアミノ酸（好ましくは前記インターネット上で結合可能と予想されているアミノ酸）に置換したアミノ酸配列を含むものであって、かつＨＬＡ抗原と結合してＣＴＬにより認識されるという活性を持つ改変ペプチドを挙げることができる。
【００６４】
より好ましくは、該位置において、前記モチーフ上知られたアミノ酸残基のいずれかに置換したアミノ酸配列を含有するペプチドであって、かつ前記活性を有する改変ペプチドが挙げられる。
【００６５】
本発明のペプチドには、さらに、前記本発明のペプチドを含有するペプチドも含まれる。
近年、複数のＣＴＬエピトープ（抗原ペプチド）を連結したペプチド（エピトープペプチド）が、効率的にＣＴＬ誘導活性を有することが示されている。例えばＪｏｕｒｎａｌ  ｏｆ  Ｉｍｍｕｎｏｌｏｇｙ  １９９８，  １６１：  ３１８６−３１９４には、癌抗原タンパク質ＰＳＡ由来のＨＬＡ−Ａ２，  −Ａ３，  −Ａ１１，  Ｂ５３拘束性ＣＴＬエピトープを連結した約３０ｍｅｒのペプチドが、イン・ビボでそれぞれのＣＴＬエピトープに特異的なＣＴＬを誘導したことが記載されている。
【００６６】
またＣＴＬエピトープとヘルパーエピトープとを連結させたペプチド（エピトープペプチド）により、効率的にＣＴＬが誘導されることも示されている。ここでヘルパーエピトープとはＣＤ４陽性Ｔ細胞を活性化させる作用を有するペプチドを指すものであり（Ｉｍｍｕｎｉｔｙ．，  １：７５１，  １９９４）、例えばＢ型肝炎ウイルス由来のＨＢＶｃ１２８−１４０や破傷風毒素由来のＴＴ９４７−９６７などが知られている。当該ヘルパーエピトープにより活性化されたＣＤ４陽性Ｔ細胞は、ＣＴＬの分化の誘導や維持、およびマクロファージなどのエフェクター活性化などの作用を発揮するため、抗腫瘍免疫応答に重要であると考えられている。このようなヘルパーエピトープとＣＴＬエピトープとを連列したペプチドの具体例として、例えばＪｏｕｒｎａｌ  ｏｆ  Ｉｍｍｕｎｏｌｏｇｙ  １９９９，  １６２：  ３９１５−３９２５には、ＨＢＶ由来ＨＬＡ−Ａ２拘束性抗原ペプチド６種類、ＨＬＡ−Ａ１１拘束性抗原ペプチド３種類、およびヘルパーエピトープより構成されるペプチドをコードするＤＮＡ（ミニジーン）が、イン・ビボでそれぞれのエピトープに対するＣＴＬを効果的に誘導したことが記載されている。また実際に、ＣＴＬエピトープ（メラノーマ抗原ｇｐ１００の第２８０位〜２８８位からなる癌抗原ペプチド）とヘルパーエピトープ（破傷風毒素由来Ｔヘルパーエピトープ）とを連結したペプチドが臨床試験に供されている（Ｃｌｉｎｉｃａｌ  Ｃａｎｃｅｒ  Ｒｅｓ．，  ２００１，７：３０１２−３０２４）。
【００６７】
従って、前記本発明のペプチドを含む複数のエピトープを連結したペプチド（エピトープペプチド）であって、ＣＴＬ誘導活性を有するペプチドも、本発明のペプチドの具体例として例示することができる。
ここで、本発明のペプチドに連結させるエピトープがＣＴＬエピトープの場合、用いるＣＴＬエピトープとしては、配列番号：２、配列番号：４または配列番号：６に記載のアミノ酸配列由来のＨＬＡ−Ａ１，  −Ａ０２０１，  −Ａ０２０４，  −Ａ０２０５，  −Ａ０２０６，  −Ａ０２０７，  −Ａ１１，  −Ａ２４，  −Ａ３１，  −Ａ６８０１，  −Ｂ７，  −Ｂ８，  −Ｂ２７０５，  −Ｂ３７，−Ｂ５５，  −Ｃｗ０４０１，  −Ｃｗ０６０２などに拘束性のＣＴＬエピトープが挙げられる。また、他の癌抗原タンパク質由来のＣＴＬエピトープも挙げられる。これらＣＴＬエピトープは複数個連結することが可能であり、１つのＣＴＬエピトープの長さとしては、各種ＨＬＡ分子に結合している抗原ペプチドの解析により（Ｉｍｍｕｎｏｇｅｎｅｔｉｃｓ，４１：１７８，１９９５）、８〜１４アミノ酸程度を挙げることができる。
【００６８】
また本発明のペプチドに連結させるエピトープがヘルパーエピトープの場合、用いるヘルパーエピトープとしては、前述のようなＢ型肝炎ウイルス由来のＨＢＶｃ１２８−１４０や破傷風毒素由来のＴＴ９４７−９６７などが挙げられる。また当該ヘルパーエピトープの長さとしては、１３〜３０アミノ酸程度、好ましくは１３〜１７アミノ酸程度を挙げることができる。
【００６９】
このような複数のエピトープを連結させたペプチド（エピトープペプチド）は、前述のように一般的なペプチド合成法によって製造することができる。またこれら複数のエピトープを連結させたエピトープペプチドをコードするポリヌクレオチドの配列情報に基づいて、通常のＤＮＡ合成および遺伝子工学的手法を用いて製造することもできる。すなわち、当該ポリヌクレオチドを周知の発現ベクターに挿入し、得られた組換え発現ベクターで宿主細胞を形質転換して作製された形質転換体を培養し、培養物より目的の複数のエピトープを連結させたエピトープペプチドを回収することにより製造することができる。これらの手法は、前述のように文献（Ｍｏｌｅｃｕｌａｒ  Ｃｌｏｎｉｎｇ，  Ｔ．Ｍａｎｉａｔｉｓ  ｅｔ  ａｌ．，ＣＳＨ  Ｌａｂｏｒａｔｏｒｙ（１９８３）、ＤＮＡ  Ｃｌｏｎｉｎｇ，  ＤＭ．Ｇｌｏｖｅｒ，  ＩＲＬ  ＰＲＥＳＳ（１９８５））に記載の方法などに準じて行うことができる。
【００７０】
以上のようにして製造された複数のエピトープを連結させたエピトープペプチドを、前述のｉｎ  ｖｉｔｒｏアッセイや、ＷＯ  ０２／４７４７４  号公報および  Ｉｎｔ  Ｊ．  Ｃａｎｃｅｒ：１００，５６５−５７０  （２００２）に記述のヒトモデル動物を用いたｉｎ  ｖｉｖｏアッセイに供すること等によりＣＴＬ誘導活性を測定することができる。
【００７１】
さらに、本発明のペプチドのＮ末端アミノ酸のアミノ基、またはＣ末端アミノ酸のカルボキシル基を修飾することも可能である。
ここでＮ末端アミノ酸のアミノ基の修飾基としては、例えば１〜３個の炭素数１から６のアルキル基、フェニル基、シクロアルキル基、アシル基が挙げられ、アシル基の具体例としては炭素数１から６のアルカノイル基、フェニル基で置換された炭素数１から６のアルカノイル基、炭素数５から７のシクロアルキル基で置換されたカルボニル基、炭素数１から６のアルキルスルホニル基、フェニルスルホニル基、炭素数２から６のアルコキシカルボニル基、フェニル基で置換されたアルコキシカルボニル基、炭素数５から７のシクロアルコキシで置換されたカルボニル基、フェノキシカルボニル基等が挙げられる。
Ｃ末端アミノ酸のカルボキシル基を修飾したペプチドとしては、例えばエステル体およびアミド体が挙げられ、エステル体の具体例としては、炭素数１から６のアルキルエステル、フェニル基で置換された炭素数０から６のアルキルエステル、炭素数５から７のシクロアルキルエステル等が挙げられ、アミド体の具体例としては、アミド、炭素数１から６のアルキル基の１つまたは２つで置換されたアミド、フェニル基で置換された炭素数０から６のアルキル基の１つまたは２つで置換されたアミド、アミド基の窒素原子を含んで５から７員環のアザシクロアルカンを形成するアミド等が挙げられる。
【００７２】
５）本発明のペプチドをコードするポリヌクレオチド
本発明のポリヌクレオチドの範疇には、さらに、前記本発明のペプチドをコードする塩基配列を含有するポリヌクレオチドも含まれる。
本発明のペプチドをコードする塩基配列を含有するポリヌクレオチドは、ＤＮＡの形態であってもＲＮＡの形態であっても良い。これら本発明のポリヌクレオチドは、本発明のペプチドのアミノ酸配列情報およびそれによりコードされるＤＮＡの配列情報に基づき容易に製造することができる。具体的には、通常のＤＮＡ合成やＰＣＲによる増幅などによって、製造することができる。
【００７３】
本発明のペプチドをコードする塩基配列を含有するポリヌクレオチドは、具体的には、前記エピトープペプチドをコードするポリヌクレオチドが挙げられる。
前記ポリヌクレオチドは、１本鎖および２本鎖のいずれの形態もとることができる。本発明のポリヌクレオチドが２本鎖の場合、前記本発明のポリヌクレオチドを発現ベクターに挿入することにより、本発明のペプチド（エピトープペプチド）を発現するための組換え発現ベクターを作製することができる。
ここで用いる発現ベクターや宿主細胞、宿主細胞の形質転換方法等については、前述の「２）本発明の発現ベクターおよび形質転換体」と同様である。
【００７４】
６）本発明のタンパク質を有効成分とする医薬
本発明のタンパク質は、医薬の有効成分とすることができる。すなわち本発明のタンパク質を適当なキャリアーと組み合わせることにより、癌免疫療法における医薬の有効成分とすることができる。
本発明のタンパク質を有効成分として含有する医薬は、癌ワクチン、すなわちＣＴＬの誘導剤として使用することができる。本発明のタンパク質により誘導されたＣＴＬは、細胞傷害作用やリンフォカインの産生を介して抗癌作用を発揮することができる。従って本発明のタンパク質は、癌の治療または予防のための医薬の有効成分とすることができる。本発明のタンパク質を有効成分として含有するＣＴＬの誘導剤は、本発明のタンパク質を癌患者に投与することで、癌を治療または予防し得るものである。当該タンパク質を癌患者に投与すると、抗原提示細胞内に取り込まれ、その後、細胞内分解を受けて生じた癌抗原ペプチドがＨＬＡ抗原と結合して複合体を形成し、該複合体が抗原提示細胞表面に提示され、この複合体に特異的なＣＴＬが体内で効率的に増殖し、癌細胞を破壊する。以上のようにして、癌の治療又は予防が達成される。
【００７５】
本発明のタンパク質を有効成分とするＣＴＬの誘導剤は、本発明のタンパク質陽性の如何なる癌患者に対しても使用することができる。具体的には、例えば膵癌（膵管癌）、大腸癌、子宮体癌、前立腺癌、腎癌または肝癌等の予防または治療のために使用することができる。好ましくは、膵癌または子宮体癌の予防または治療のために使用することができる。
【００７６】
本発明のタンパク質を有効成分として含有する癌ワクチンは、細胞性免疫が効果的に成立するように、医薬として許容されるキャリアー、例えば適当なアジュバントと混合して投与、又は併用して投与することができる。
アジュバントとしては、文献（Ｃｌｉｎ．  Ｍｉｃｒｏｂｉｏｌ．Ｒｅｖ．，  ７：２７７−２８９，  １９９４）に記載のものなどが応用可能であり、具体的には、菌体由来成分又はその誘導体、サイトカイン、植物由来成分又はその誘導体、海洋生物由来成分又はその誘導体、水酸化アルミニウムの如き鉱物ゲル、リソレシチン、プルロニックポリオールの如き界面活性剤、ポリアニオン、ペプチド、または油乳濁液（エマルション製剤）などを挙げることができる。また、リポソーム製剤、直径数μｍ  のビーズに結合させた粒子状の製剤、リピッドを結合させた製剤、マイクロスフェアー製剤、マイクロカプセル製剤なども考えられる。
【００７７】
前記において菌体由来成分又はその誘導体とは、具体的には、例えば▲１▼細菌の死菌、▲２▼細菌由来の細胞壁骨格（Ｃｅｌｌ  Ｗａｌｌ  Ｓｋｅｌｅｔｏｎ，  ＣＷＳと略する）、▲３▼菌体由来の特定の成分又はその誘導体等に分類される。ここで▲１▼細菌の死菌としては、例えば溶連菌粉末（例えばピシバニール；中外製薬株式会社）、死菌浮遊物カクテル（例えばブロンカスマ・ベルナ；三和化学研究所）、あるいはヒト型結核菌の死菌等が挙げられる。
【００７８】
▲２▼細菌由来のＣＷＳとしては、マイクバクテリア属由来のＣＷＳ（例えばマイコバクテリア属ウシ型結核菌であるＢＣＧ株のＣＷＳ）、ノカルディア属由来のＣＷＳ（例えばノカルディア・ノブラのＣＷＳ）、あるいはコリネバクテリア属由来のＣＷＳ等が挙げられる。
【００７９】
▲３▼菌体由来の特定の成分又はその誘導体としては、例えば菌体由来多糖類であるヒト型結核菌由来多糖類成分（例えばアンサー；ゼリア新薬工業株式会社）や担子菌由来多糖類（例えばレンチナン；味の素、クレスチン；三共株式会社、担子菌カワラタケ）、またムラミルジペプチド（ＭＤＰ）関連化合物、リポ多糖（ＬＰＳ）、リピドＡ関連化合物（ＭＰＬ）、糖脂質トレハロースジマイコレート（ＴＤＭ）、細菌由来のＤＮＡ（例えばＣｐＧオリゴヌクレオチド）、あるいはこれらの誘導体などが挙げられる。
【００８０】
これら菌体由来成分及びその誘導体は、既に市販されているものであればそれを入手するか、又は公知文献（例えばＣａｎｃｅｒ  Ｒｅｓ．，３３，２１８７−２１９５（１９７３）、Ｊ．Ｎａｔｌ．Ｃａｎｃｅｒ  Ｉｎｓｔ．，４８，８３１−８３５（１９７２）、Ｊ．Ｂａｃｔｅｒｉｏｌ．，９４，１７３６−１７４５（１９６７）、Ｇａｎｎ，６９，６１９−６２６（１９７８）、Ｊ．Ｂａｃｔｅｒｉｏｌ．，９２，８６９−８７９（１９６６）、Ｊ．Ｎａｔｌ．Ｃａｎｃｅｒ  Ｉｎｓｔ．，５２，９５−１０１（１９７４））等に基き単離又は製造することが可能である。
【００８１】
前記において「サイトカイン」とは、例えばＩＦＮ−α、ＩＬ−１２、ＧＭ−ＣＳＦ、ＩＬ−２、ＩＦＮ−γ、ＩＬ−１８、あるいはＩＬ−１５などが挙げられる。これらのサイトカインは、天然品であっても遺伝子組換え品であっても良い。これらのサイトカインは、既に市販されていればそれを入手して使用することができる。また遺伝子組換え品であれば、例えばＧｅｎＢａｎｋ、ＥＭＢＬ、あるいはＤＤＢＪ等のデータベースにおいて登録されている各塩基配列に基き、常法により所望の遺伝子をクローニングし、適当な発現ベクターに連結して作製された組換え発現ベクターで宿主細胞を形質転換することにより、発現・生産することができる。
【００８２】
前記において「植物由来成分又はその誘導体」とは、例えばサポニン由来成分であるＱｕｉｌ  Ａ（Ａｃｃｕｒａｔｅ  Ｃｈｅｍｉｃａｌ＆Ｓｃｉｅｎｔｉｆｉｃ  Ｃｏｒｐ）、  ＱＳ−２１（Ａｑｕｉｌａ  Ｂｉｏｐｈａｒｍａｃｅｕｔｉｃａｌｓ  ｉｎｃ．）、あるいはグリチルリチン（ＳＩＧＭＡ−ＡＬＤＲＩＣＨなど）などが挙げられる。
【００８３】
前記において「海洋生物由来成分又はその誘導体」とは、例えば海綿由来の糖脂質であるα−ガラクトシルセラミドなどが挙げられる。
【００８４】
前記において油乳濁液（エマルション製剤）とは、例えば油中水型（ｗ／ｏ）エマルション製剤、水中油型（ｏ／ｗ）エマルション製剤、水中油中水型（ｗ／ｏ／ｗ）エマルション製剤などが挙げられる。
【００８５】
ここで油中水型（ｗ／ｏ）エマルション製剤は、有効成分を水の分散相に分散させた形態をとる。水中油型（ｏ／ｗ）エマルション製剤は、有効成分を水の分散媒に分散させた形態をとる。また水中油中水型（ｗ／ｏ／ｗ）エマルション製剤は、有効成分を最内相の水の分散相に分散させた形態をとる。このようなエマルション製剤の調製は、例えば、特開平８−９８５号公報、特開平９−１２２４７６号公報等を参考にして行うことができる。
【００８６】
前記においてリポソーム製剤とは、有効成分を脂質二重膜構造のリポソームで水相内または膜内に包み込んだ形の微粒子である。リポソームを作るための主要な脂質としては、ホスファチジルコリン、スフィンゴミエリン等が挙げられ、これにジセチルホスフェート、ホスファチジン酸、ホスファチジルセリン等を加えてリポソームに荷電を与えて安定化させる。リポソームの調製方法としては、超音波法、エタノール注入法、エーテル注入法、逆相蒸発法、フレンチプレスエクストラクション法等が挙げられる。
【００８７】
前記においてマイクロスフェアー製剤は、均質な高分子マトリックスから構成され、該マトリックス中に有効成分が分散された形の微粒子である。マトリックスの材料としては、アルブミン、ゼラチン、キチン、キトサン、デンプン、ポリ乳酸、ポリアルキルシアノアクリレート等の生分解性高分子が挙げられる。マイクロスフェアー製剤の調製方法としては公知の方法（Ｅｕｒ．  Ｊ．  Ｐｈａｒｍ．  Ｂｉｏｐｈａｒｍ．  ５０：１２９−１４６，  ２０００、Ｄｅｖ．  Ｂｉｏｌ．  Ｓｔａｎｄ．  ９２：６３−７８，  １９９８、Ｐｈａｒｍ．  Ｂｉｏｔｅｃｈｎｏｌ．  １０：１−４３，  １９９７）等に従えばよく特に限定されない。
【００８８】
前記においてマイクロカプセル製剤は、有効成分を芯物質として被膜物質で覆った形の微粒子である。被膜物質に用いられるコーティング材料としては、カルボキシメチルセルロース、セルロースアセテートフタレート、エチルセルロース、ゼラチン、ゼラチン・アラビアゴム、ニトロセルロース、ポリビニルアルコール、ヒドロキシプロピルセルロース等の膜形成性高分子が挙げられる。マイクロカプセル製剤の調製方法は、コアセルベーション法、界面重合法等が挙げられる。
【００８９】
投与方法としては、皮内投与、皮下投与、筋肉内投与、静脈内投与などが挙げられる。製剤中の本発明のタンパク質の投与量は、治療目的の疾患、患者の年齢、体重等により適宜調整することができるが、通常０．０００１ｍｇ〜１０００ｍｇ、好ましくは  ０．００１ｍｇ〜１００ｍｇ、より好ましくは０．０１ｍｇ〜１０ｍｇであり、これを数日ないし数月に１回投与するのが好ましい。
【００９０】
７）本発明のポリヌクレオチド、発現ベクターまたは形質転換体を有効成分とする医薬
本発明のポリヌクレオチド、発現ベクターまたは形質転換体は、医薬の有効成分とすることができる。すなわち本発明のポリヌクレオチド、発現ベクターまたは形質転換体を適当なキャリアーと組み合わせることにより、癌免疫療法における医薬の有効成分とすることができる。
本発明のポリヌクレオチド、発現ベクターまたは形質転換体を有効成分として含有する医薬は、癌ワクチン、すなわちＣＴＬの誘導剤として使用することができる。本発明のポリヌクレオチド、発現ベクターまたは形質転換体にもとづいて発現した本発明のタンパク質は、ＣＴＬを誘導し、細胞傷害作用やリンフォカインの産生を介して抗癌作用を発揮することができる。従って本発明のポリヌクレオチド、発現ベクターまたは形質転換体は、癌の治療または予防のための医薬の有効成分とすることができる。本発明のポリヌクレオチド、発現ベクターまたは形質転換体を有効成分として含有するＣＴＬの誘導剤は、例えばこれらの物質を癌患者に投与し、本発明のポリヌクレオチドから本発明のタンパク質を発現させることで、癌を治療または予防し得るものである。
【００９１】
発現ベクターに組み込まれた本発明のポリヌクレオチドを以下の方法により癌患者に投与すると、抗原提示細胞内で本発明のタンパク質が高発現する。その後、細胞内分解を受けて生じた癌抗原ペプチドがＨＬＡ抗原と結合して複合体を形成し、該複合体が抗原提示細胞表面に高密度に提示されることにより、癌特異的ＣＴＬが体内で効率的に増殖し、癌細胞を破壊する。以上のようにして、癌の治療または予防が達成される。
【００９２】
本発明のポリヌクレオチド、発現ベクターまたは形質転換体を有効成分とするＣＴＬの誘導剤は、本発明のタンパク質陽性の如何なる癌患者に対しても使用することができる。具体的には、例えば膵癌、大腸癌、子宮体癌、前立腺癌、腎癌または肝癌等の予防または治療のために使用することができる。好ましくは、膵癌または子宮体癌の予防または治療のために使用することができる。
【００９３】
以下、本発明のポリヌクレオチドを発現ベクターに組み込んで投与する形態が最も一般的であるため、当該発現ベクターを例にとり説明するが、当該形態に何ら限定されるものではない。
本発明のポリヌクレオチドを含有する発現ベクターを投与し細胞内に導入する方法としては、ウイルスベクターによる方法およびその他の方法（日経サイエンス，  １９９４年４月号，  ２０−４５頁、月刊薬事，  ３６（１），  ２３−４８（１９９４）、実験医学増刊，  １２（１５），  （１９９４）、およびこれらの引用文献等）のいずれの方法も適用することができる。
【００９４】
ウイルスベクターによる方法としては、例えばレトロウイルス、アデノウイルス、アデノ関連ウイルス、ヘルペスウイルス、ワクシニアウイルス、ポックスウイルス、ポリオウイルス、シンビスウイルス等のＤＮＡウイルス又はＲＮＡウイルスに本発明のＤＮＡを組み込んで導入する方法が挙げられる。この中で、レトロウイルス、アデノウイルス、アデノ関連ウイルス、ワクシニアウイルス等を用いた方法が特に好ましい。
その他の方法としては、発現プラスミドを直接筋肉内に投与する方法（ＤＮＡワクチン法）、リポソーム法、リポフェクチン法、マイクロインジェクション法、リン酸カルシウム法、エレクトロポレーション法等が挙げられ、特にＤＮＡワクチン法、リポソーム法が好ましい。
【００９５】
本発明のポリヌクレオチドを含有する発現ベクターを実際に医薬として作用させるには、当該発現ベクターを直接体内に導入する  ｉｎ  ｖｉｖｏ法、およびヒトからある種の細胞を採集し体外で発現ベクターを該細胞に導入しその細胞を体内に戻す  ｅｘ  ｖｉｖｏ法がある（日経サイエンス，  １９９４年４月号，  ２０−４５頁、月刊薬事，  ３６（１），  ２３−４８（１９９４）、実験医学増刊，  １２（１５），  （１９９４）、およびこれらの引用文献等）。ｉｎ  ｖｉｖｏ法がより好ましい。
【００９６】
ｉｎ  ｖｉｖｏ法により投与する場合は、治療目的の疾患、症状等に応じた適当な投与経路により投与され得る。例えば、静脈、動脈、皮下、皮内、筋肉内等に投与することができる。ｉｎ  ｖｉｖｏ法により投与する場合は、例えば、液剤等の製剤形態をとりうるが、一般的には有効成分である本発明のポリヌクレオチド含有発現ベクターを含む注射剤等とされ、必要に応じて、医薬上許容されるキャリアー（担体）を加えてもよい。また、本発明のポリヌクレオチドを含有する発現ベクターを含むリポソームまたは膜融合リポソーム（センダイウイルス（ＨＶＪ）−リポソーム等）においては、懸濁剤、凍結剤、遠心分離濃縮凍結剤等のリポソーム製剤の形態とすることができる。
製剤中の本発明の発現ベクターの含量は、治療目的の疾患、患者の年齢、体重等により適宜調整することができるが、通常、発現ベクター中のポリヌクレオチドの含量として、０．０００１ｍｇ〜１００ｍｇ、好ましくは０．００１ｍｇ〜１０ｍｇの本発明のポリヌクレオチドを、数日ないし数月に１回投与するのが好ましい。
【００９７】
また近年、複数のＣＴＬエピトープ（癌抗原ペプチド）を連結したエピトープペプチドをコードするポリヌクレオチド、あるいはＣＴＬエピトープとヘルパーエピトープとを連結させたエピトープペプチドをコードするポリヌクレオチドが、ｉｎ  ｖｉｖｏで効率的にＣＴＬ誘導活性を有することが示されている。例えばＪｏｕｒｎａｌ  ｏｆ  Ｉｍｍｕｎｏｌｏｇｙ  １９９９，  １６２：  ３９１５−３９２５には、ＨＢＶ由来ＨＬＡ−Ａ２拘束性抗原ペプチド６種類、ＨＬＡ−Ａ１１拘束性抗原ペプチド３種類、およびヘルパーエピトープを連結したエピトープペプチドをコードするＤＮＡ（ミニジーン）が、イン・ビボでそれぞれのエピトープに対するＣＴＬを効果的に誘導したことが記載されている。
【００９８】
従って、本発明のペプチドをコードするポリヌクレオチドを１種または２種以上連結させることにより、また場合によっては他のペプチドをコードするポリヌクレオチドも連結させることにより作製されたポリヌクレオチドを、適当な発現ベクターに組み込むことにより、ＣＴＬの誘導剤の有効成分とすることができる。このようなＣＴＬの誘導剤も、前記と同様の投与方法および投与形態をとることができる。
【００９９】
８）本発明のペプチドを有効成分とする医薬
本発明のペプチドは、医薬の有効成分とすることができる。すなわち本発明のペプチドを適当なキャリアーと組み合わせることにより、癌免疫療法における医薬の有効成分とすることができる。
本発明のペプチドを有効成分として含有する医薬は、癌ワクチン、すなわちＣＴＬの誘導剤として使用することができる。本発明のペプチドにより誘導されたＣＴＬは、細胞傷害作用やリンフォカインの産生を介して抗癌作用を発揮することができる。従って本発明のペプチドは、癌の治療または予防のための医薬の有効成分とすることができる。本発明のペプチドを有効成分として含有するＣＴＬの誘導剤を癌患者に投与すると、抗原提示細胞のＨＬＡ抗原に本発明のペプチドが提示され、提示されたＨＬＡ抗原とペプチドとの結合複合体特異的ＣＴＬが増殖して癌細胞を破壊することができ、従って、患者の癌を治療又は予防することができる。
【０１００】
本発明のペプチドを有効成分とするＣＴＬの誘導剤は、本発明のタンパク質陽性の如何なる癌患者に対しても使用することができる。具体的には、例えば膵癌、大腸癌、子宮体癌、前立腺癌、腎癌または肝癌等の予防または治療のために使用することができる。好ましくは、膵癌または子宮体癌の予防または治療のために使用することができる。
【０１０１】
本発明のペプチドを有効成分とするＣＴＬの誘導剤は、単一のＣＴＬエピトープ（本発明のペプチド）を有効成分とするものであっても、また他のペプチド（ＣＴＬエピトープやヘルパーエピトープ）と連結したエピトープペプチドを有効成分とするものであっても良い。近年、複数のＣＴＬエピトープ（抗原ペプチド）を連結したエピトープペプチドが、イン・ビボで効率的にＣＴＬ誘導活性を有することが示されている。例えばＪｏｕｒｎａｌ  ｏｆ  Ｉｍｍｕｎｏｌｏｇｙ  １９９８，  １６１：  ３１８６−３１９４には、癌抗原タンパク質ＰＳＡ由来のＨＬＡ−Ａ２，  −Ａ３，  −Ａ１１，  Ｂ５３拘束性ＣＴＬエピトープ（抗原ペプチド）を連結した約３０ｍｅｒのエピトープペプチドが、イン・ビボでそれぞれのＣＴＬエピトープに特異的なＣＴＬを誘導したことが記載されている。またＣＴＬエピトープとヘルパーエピトープとを連結させたエピトープペプチドにより、効率的にＣＴＬが誘導されることも示されている。このようなエピトープペプチドの形態で投与した場合、抗原提示細胞内に取り込まれ、その後、細胞内分解を受けて生じた個々の抗原ペプチドがＨＬＡ抗原と結合して複合体を形成し、該複合体が抗原提示細胞表面に高密度に提示され、この複合体に特異的なＣＴＬが体内で効率的に増殖し、癌細胞を破壊する。このようにして癌の治療または予防が達成される。
【０１０２】
本発明のペプチドを有効成分とするＣＴＬの誘導剤は、細胞性免疫が効果的に成立するように、医薬として許容されるキャリアー、例えば適当なアジュバントと混合して投与、又は併用して投与することができる。
アジュバントとしては、文献（Ｃｌｉｎ．  Ｍｉｃｒｏｂｉｏｌ．Ｒｅｖ．，  ７：２７７−２８９，  １９９４）に記載のものなどが応用可能であり、具体的には、菌体由来成分又はその誘導体、サイトカイン、植物由来成分又はその誘導体、海洋生物由来成分又はその誘導体、水酸化アルミニウムの如き鉱物ゲル、リソレシチン、プルロニックポリオールの如き界面活性剤、ポリアニオン、ペプチド、または油乳濁液（エマルション製剤）などを挙げることができる。また、リポソーム製剤、直径数μｍ  のビーズに結合させた粒子状の製剤、リピッドを結合させた製剤、マイクロスフェアー製剤、マイクロカプセル製剤なども考えられる。これらアジュバントの具体例については、前記「６）本発明のタンパク質を有効成分とする医薬」の項を参照されたい。
【０１０３】
投与方法としては、皮内投与、皮下投与、筋肉内投与、静脈内投与などが挙げられる。製剤中の本発明のペプチドの投与量は、治療目的の疾患、患者の年齢、体重等により適宜調整することができるが、通常０．０００１ｍｇ〜１０００ｍｇ、好ましくは  ０．００１ｍｇ〜１０００ｍｇ、より好ましくは０．１ｍｇ  〜１０ｍｇであり、これを数日ないし数月に１回投与するのが好ましい。
【０１０４】
９）本発明の抗体
本発明において抗体とは、本発明のタンパク質に特異的に結合する性質を有する抗体である。本発明の抗体は、その形態に特に制限はなく、本発明のタンパク質を免疫抗原とするポリクローナル抗体であっても、またそのモノクローナル抗体であってもよい。さらにこれら本発明タンパク質のアミノ酸配列のうち少なくとも連続する、通常８アミノ酸、好ましくは１５アミノ酸、より好ましくは２０アミノ酸からなるポリペプチドに対して抗原結合性を有する抗体も、本発明の抗体に含まれる。
【０１０５】
これらの抗体の製造方法は、すでに周知であり、本発明の抗体もこれらの常法に従って製造することができる（Ｃｕｒｒｅｎｔ  ｐｒｏｔｏｃｏｌｓ  ｉｎ  Ｍｏｌｅｃｕｌａｒ  Ｂｉｏｌｏｇｙ  ｅｄｉｔ．  Ａｕｓｕｂｅｌ  ｅｔ  ａｌ．  （１９８７）  Ｐｕｂｌｉｓｈ．  Ｊｏｈｎ  Ｗｉｌｅｙ  ａｎｄ  Ｓｏｎｓ．  Ｓｅｃｔｉｏｎ  １１．１２〜１１．１３、Ａｎｔｉｂｏｄｉｅｓ；  Ａ  Ｌａｂｏｒａｔｏｒｙ  Ｍａｎｕａｌ，  Ｌａｎｅ，  Ｈ，  Ｄ．ら編，  Ｃｏｌｄ  Ｓｐｒｉｎｇ  Ｈａｒｂｅｒ  Ｌａｂｏｒａｔｏｒｙ  Ｐｒｅｓｓ  出版  Ｎｅｗ  Ｙｏｒｋ  １９８９）。具体的には、本発明の抗体がポリクローナル抗体の場合には、常法に従って大腸菌等で発現し精製した本発明タンパク質を用いて、あるいは常法に従ってこれら本発明タンパク質の部分アミノ酸配列を有するオリゴペプチドを合成して、家兎等の非ヒト動物に免疫し、該免疫動物の血清から常法に従って得ることが可能である。一方、モノクローナル抗体の場合には、常法に従って大腸菌等で発現し精製した本発明タンパク質、あるいはこれらタンパク質の部分アミノ酸配列を有するオリゴペプチドをマウス等の非ヒト動物に免疫し、得られた脾臓細胞と骨髄腫細胞とを細胞融合させて調製したハイブリドーマ細胞の中から得ることができる（Ｃｕｒｒｅｎｔ  ｐｒｏｔｏｃｏｌｓ  ｉｎ  Ｍｏｌｅｃｕｌａｒ  Ｂｉｏｌｏｇｙ  ｅｄｉｔ．  Ａｕｓｕｂｅｌ  ｅｔ  ａｌ．  （１９８７）  Ｐｕｂｌｉｓｈ．  Ｊｏｈｎ  Ｗｉｌｅｙ  ａｎｄ  Ｓｏｎｓ．  Ｓｅｃｔｉｏｎ  １１．４〜１１．１１）。
【０１０６】
抗体の作製に免疫抗原として使用される本発明タンパク質は、本発明により提供される遺伝子の配列情報（配列番号１，３または５）に基づいて、ＤＮＡクローニング、各プラスミドの構築、宿主へのトランスフェクション、形質転換体の培養および培養物からのタンパク質の回収の操作により得ることができる。これらの操作は、前記２）の項に記載したような当業者に既知の方法、あるいは文献記載の方法（Ｍｏｌｅｃｕｌａｒ  Ｃｌｏｎｉｎｇ，  Ｔ．Ｍａｎｉａｔｉｓ  ｅｔ  ａｌ．，  ＣＳＨ  Ｌａｂｏｒａｔｏｒｙ  （１９８３），  ＤＮＡ  Ｃｌｏｎｉｎｇ，  ＤＭ．  Ｇｌｏｖｅｒ，  ＩＲＬ  ＰＲＥＳＳ  （１９８５））などに準じて行うことができる。
【０１０７】
具体的には、本発明タンパク質をコードする遺伝子が所望の宿主細胞中で発現できる組み換えＤＮＡ（発現ベクター）を作製し、これを宿主細胞に導入して形質転換し、該形質転換体を培養して、得られる培養物から、目的タンパク質を回収することによって、本発明抗体の製造のための免疫抗原としてのタンパク質を得ることができる。また、本発明タンパク質の部分ペプチドは、本発明により提供されるアミノ酸配列の情報（配列番号２，４および６）に従って、一般的な化学合成法（ペプチド合成）によって製造することもできる。
【０１０８】
かかるタンパク質またはペプチドに対する抗体の製造は、宿主に応じて種々のアジュバントを用いて免疫学的反応を高めることによって行うこともできる。限定はされないが、そのようなアジュバントには、フロイントアジュバント、水酸化アルミニウムのようなミネラルゲル、並びにリゾレシチン、プルロニックポリオル、ポリアニオン、ペプチド、油乳剤、キーホールリンペットヘモシアニン及びジニトロフェノールのような表面活性物質、ＢＣＧ（カルメット−ゲラン桿菌）やコリネバクテリウム−パルヴムなどのヒトアジュバントが含まれる。
【０１０９】
以上のように本発明のタンパク質やその部分ペプチドを用いて常法により適宜動物を免疫することにより、本発明タンパク質を特異的に認識する抗体、さらにはその活性を中和する抗体が容易に作製できる。抗体の用途としては、アフィニティークロマトグラフィー、免疫学的診断等が挙げられる。免疫学的診断は、イムノブロット法、放射免疫測定法（ＲＩＡ）、酵素免疫測定法（ＥＬＩＳＡ）、蛍光あるいは発光測定法等より適宜選択できる。このような免疫学的診断は、本発明タンパク質が発現している癌（膵癌、大腸癌、子宮体癌、前立腺癌、腎癌または肝癌等）の診断において有効である。
【０１１０】
１０）癌マーカー
▲１▼本発明のポリヌクレオチドに関する癌マーカー
本発明において、配列番号：１（配列番号：３，５）に記載のＫＵ−ＴＥＳ−１遺伝子が、ＣＴ抗原様の発現パターンを示す、すなわち癌において特異的に発現しているという知見を得た。よって、当該遺伝子発現の有無や発現の程度を検出することによって、前記癌の罹患の有無や程度が特異的に検出でき、癌の診断を行うことができる。
【０１１１】
本発明のポリヌクレオチドは、従って、被験者におけるＫＵ−ＴＥＳ−１遺伝子の発現の有無またはその程度を検出することによって、該被験者が癌に罹患しているか否かまたはその罹患の程度を診断することのできるツール（癌マーカー）として有用である。
【０１１２】
本発明の癌マーカーは、前記本発明ポリヌクレオチドの塩基配列における連続する少なくとも１５塩基を含有するポリヌクレオチド及び／またはそれに相補的なポリヌクレオチドからなることを特徴とするものである。
【０１１３】
具体的には、本発明の癌マーカーは、配列番号：１、３または５に記載の塩基配列における連続する少なくとも１５塩基を含有するポリヌクレオチド及び／またはそれに相補的なポリヌクレオチドからなるものを挙げることができる。
【０１１４】
ここで相補的なポリヌクレオチド（相補鎖、逆鎖）とは、前記配列番号：１、３または５に記載の塩基配列からなるポリヌクレオチドの全長配列、または該塩基配列における少なくとも連続した１５塩基長の塩基配列を含有するその部分配列（ここでは便宜上、これらを「正鎖」ともいう）に対して、Ａ：ＴおよびＧ：Ｃといった塩基対関係に基づいて、塩基的に相補的な関係にあるポリヌクレオチドを意味するものである。ただし、かかる相補鎖は、対象とする正鎖の塩基配列と完全に相補配列を形成する場合に限らず、対象とする正鎖とストリンジェントな条件でハイブリダイズすることができる程度の相補関係を有するものであってもよい。なお、ここでストリンジェントな条件は、Ｂｅｒｇｅｒ  ａｎｄ  Ｋｉｍｍｅｌ  （１９８７，  Ｇｕｉｄｅ  ｔｏ  Ｍｏｌｅｃｕｌａｒ  Ｃｌｏｎｉｎｇ  Ｔｅｃｈｎｉｑｕｅｓ  Ｍｅｔｈｏｄｓ  ｉｎ  Ｅｎｚｙｍｏｌｏｇｙ，  Ｖｏｌ．  １５２，  Ａｃａｄｅｍｉｃ  Ｐｒｅｓｓ，  Ｓａｎ  Ｄｉｅｇｏ  ＣＡ）  に教示されるように、複合体或いはプローブを結合する核酸の融解温度（Ｔｍ）に基づいて決定することができる。例えばハイブリダイズ後の洗浄条件として、通常「１×ＳＳＣ、０．１％ＳＤＳ、３７℃」程度の条件を挙げることができる。相補鎖はかかる条件で洗浄しても対象とする正鎖とハイブリダイズ状態を維持するものであることが好ましい。特に制限されないが、より厳しいハイブリダイズ条件として「０．５×ＳＳＣ、０．１％ＳＤＳ、４２℃」程度、さらに厳しいハイブリダイズ条件として「０．１×ＳＳＣ、０．１％ＳＤＳ、６５℃」程度の洗浄条件を挙げることができる。具体的には、このような相補鎖として、対象の正鎖の塩基配列と完全に相補的な関係にある塩基配列からなる鎖、並びに該鎖と少なくとも９０％、好ましくは９５％の相同性を有する塩基配列からなる鎖を例示することができる。
【０１１５】
ここで、正鎖側のポリヌクレオチドには、配列番号：１、３または５に記載の塩基配列、またはその部分配列を含有するものだけでなく、上記相補鎖の塩基配列に対してさらに相補的な関係にある塩基配列からなる鎖を含めることができる。
【０１１６】
さらに上記正鎖のポリヌクレオチド及び相補鎖（逆鎖）のポリヌクレオチドは、各々一本鎖の形態で癌マーカーとして使用されても、また二本鎖の形態で癌マーカーとして使用されてもよい。
【０１１７】
本発明の癌マーカーは、具体的には、前記配列番号：１、３または５に記載の塩基配列（全長配列）からなるポリヌクレオチドであってもよいし、その相補配列からなるポリヌクレオチドであってもよい。またこれら本発明遺伝子もしくは該遺伝子に由来するポリヌクレオチドを選択的に（特異的に）認識するものであれば、上記全長配列またはその相補配列の部分配列からなるポリヌクレオチドであってもよい。この場合、部分配列としては、上記全長配列またはその相補配列の塩基配列から任意に選択される少なくとも１５個の連続した塩基長を含有するポリヌクレオチドを挙げることができる。
【０１１８】
なお、ここで「選択的に（特異的に）認識する」とは、例えばノーザンブロット法においては、本発明のＫＵ−ＴＥＳ−１遺伝子、またはこれらに由来するポリヌクレオチドが特異的に検出できること、またＲＴ−ＰＣＲ法においては、本発明のＫＵ−ＴＥＳ−１遺伝子、またはこれらに由来するポリヌクレオチドが特異的に生成されることを意味するが、それに限定されることなく、当業者が上記検出物または生成物がＫＵ−ＴＥＳ−１遺伝子に由来するものであると判断できるものであればよい。
【０１１９】
本発明の癌マーカーは、例えば配列番号１、３または５に記載の塩基配列をもとに、例えばｐｒｉｍｅｒ  ３（  ＨＹＰＥＲＬＩＮＫ  ｈｔｔｐ：／／ｗｗｗ．ｇｅｎｏｍｅ．ｗｉ．ｍｉｔ．ｅｄｕ／ｃｇｉ−ｂｉｎ／ｐｒｉｍｅｒ／ｐｒｉｍｅｒ３．ｃｇｉ）あるいはベクターＮＴＩ（Ｉｎｆｏｍａｘ社製）を利用して設計することができる。具体的には前記本発明ポリヌクレオチドの塩基配列を  ｐｒｉｍｅｒ  ３またはベクターＮＴＩのソフトウエアにかけて得られる、プライマーまたはプローブの候補配列、若しくは少なくとも該配列を一部に含む配列をプライマーまたはプローブとして使用することができる。このような本発明の癌マーカーの具体例としては、例えば配列番号：９または１０に記載のプライマーを挙げることができる。
【０１２０】
本発明の癌マーカーは、上述するように連続する少なくとも１５塩基の長さを含有するものであればよいが、具体的にはマーカーの用途に応じて、長さを適宜選択し設定することができる。
【０１２１】
本発明において癌の検出（診断）は、被験者の生体組織、特に癌が疑われる被験組織におけるＫＵ−ＴＥＳ−１遺伝子の発現の有無または発現レベル（発現量）を評価することによって行われる。この場合、上記本発明の癌マーカーは、ＫＵ−ＴＥＳ−１遺伝子の発現によって生じたＲＮＡまたはそれに由来するポリヌクレオチドを特異的に認識し増幅するためのプライマーとして、または該ＲＮＡまたはそれに由来するポリヌクレオチドを特異的に検出するためのプローブとして利用することができる。当該プライマーまたはプローブとしての利用を可能とするために、本発明の癌マーカーは放射性同位元素（３２Ｐ、３３Ｐなど：ＲＩ）や蛍光物質などで標識することができ、当該標識化されたポリヌクレオチドも本発明の癌マーカーの範疇に含まれる。
【０１２２】
本発明癌マーカーを癌の検出においてプライマーとして用いる場合には、通常１５ｂｐ〜１００ｂｐ、好ましくは１５ｂｐ〜５０ｂｐ、より好ましくは１５ｂｐ〜３５ｂｐの塩基長を含有するものが例示できる。また検出プローブとして用いる場合には、通常１５ｂｐ〜全配列の塩基数、好ましくは１５ｂｐ〜１ｋｂ、より好ましくは１００ｂｐ〜１ｋｂの塩基長を含有するものが例示できる。
【０１２３】
本発明の癌マーカーは、ノーザンブロット法、ＲＴ−ＰＣＲ法、ｉｎ ｓｉｔｕハイブリダーゼーション法などといった、特定遺伝子を特異的に検出する公知の方法において、常法に従ってプライマーまたはプローブとして利用することができる。
【０１２４】
本発明の癌マーカーは、癌の診断、検出（罹患の有無や罹患の程度の診断）に有用である。すなわち本発明の癌マーカーは膵癌、大腸癌、子宮体癌、前立腺癌、腎癌または肝癌等の癌の診断に有用であり、特に、膵癌または子宮体癌の診断に有用である。
具体的には、該癌マーカーを利用した癌の診断は、被験者における生体組織（癌が疑われる組織）と正常者における同様の組織におけるＫＵ−ＴＥＳ−１遺伝子の遺伝子発現レベルの違いを判定することによって行うことができる。この場合、遺伝子発現レベルの違いには、発現のある／なしの違いだけでなく、被験者の組織と正常者の組織の両者ともに発現がある場合でも、両者間の発現量の格差が２倍以上、好ましくは３倍以上の場合が含まれる。具体的にはＫＵ−ＴＥＳ−１遺伝子は癌（膵癌、大腸癌、子宮体癌、前立腺癌、腎癌または肝癌。特に膵癌または子宮体癌）で発現誘導を示すので、被験者の当該組織で発現しており、該発現量が正常者の対応組織の発現量と比べて２倍以上、好ましくは３倍以上多ければ、被験者について癌の罹患が疑われる。
【０１２５】
▲２▼本発明のタンパク質またはポリペプチドに関する癌マーカー
本発明において、配列番号：２（配列番号：４，６）に記載のＫＵ−ＴＥＳ−１（ＫＵ−ＴＥＳ−１タンパク）に対するＩｇＧ抗体が癌患者血清中に特異性を示して存在しているという知見を得た。よって、癌患者血清中における当該ＫＵ−ＴＥＳ−１に対する抗体の存在の有無を検出することによって、前記癌の罹患の有無が特異的に検出でき、癌の診断を行うことができる。
【０１２６】
本発明のタンパク質またそのは部分ペプチド（ポリペプチド）は、従って、被験者における抗ＫＵ−ＴＥＳ−１抗体の存在の有無またはその程度を検出することによって、該被験者が癌に罹患しているか否かまたはその罹患の程度を診断することのできるツール（癌マーカー）として有用である。
【０１２７】
本発明の癌マーカーは、本発明タンパク質のアミノ酸配列における連続する少なくとも８アミノ酸を含有するポリペプチドからなることを特徴とするものである。
当該癌マーカーは、本発明のタンパク質又はその部分ペプチド（ポリペプチド）に対する抗体を特異的に認識することのできるタンパク質またはポリペプチドであれば、如何なるものであっても良い。具体的には、本発明の癌マーカーは、配列番号：２、配列番号：４または配列番号：６に記載のアミノ酸配列における連続する少なくとも８アミノ酸を含有するポリペプチドからなるものを挙げることができる。より具体的には、配列番号：２、配列番号：４または配列番号：６に記載のアミノ酸配列における連続する少なくとも８アミノ酸、好ましくは１５アミノ酸、より好ましくは２０アミノ酸以上のアミノ酸配列を含有するポリペプチドを挙げることができる。
前記癌マーカーの有効成分となるポリペプチドは、本発明タンパク質のアミノ酸配列の連続する８アミノ酸以上の部分に、さらにβ−ｇａｌａｃｔｏｓｉｄａｓｅのようなマーカータンパク質が融合されたものであっても良い。
【０１２８】
本発明の癌マーカーは、癌の診断、検出（罹患の有無や罹患の程度の診断）に有用である。すなわち本発明の癌マーカーは膵癌、大腸癌、子宮体癌、前立腺癌、腎癌または肝癌等の癌の診断に有用であり、特に、膵癌または子宮体癌の診断に有用である。
本発明のタンパク質やペプチド（ポリペプチド）を診断薬として用い、癌が疑われる患者から得た試料（例えば血液、癌が疑われる組織など）中の抗体の存在を検出することにより、癌を診断することができる。ここで用いる本発明タンパク質およびペプチド（ポリペプチド）の製造法については、前記３）および４）の項で述べたとおりである。
【０１２９】
具体的には、患者の血液（血清）を採取し、例えば本発明の癌マーカーを用いたウェスタンブロット法、ＥＬＩＳＡ法、イムノクロマトグラフィー法、ラテックス凝集法など公知の検出方法において、上記本発明タンパク質またはペプチドに対する抗体を検出することができる。
【０１３０】
癌の診断に際しては、被験者の血清における抗ＫＵ−ＴＥＳ−１抗体の量と正常者の血清における抗ＫＵ−ＴＥＳ−１抗体の量の違いを判定すればよい。この場合、抗体量の違いには、抗体のある／なし、あるいは抗体量の違いが２倍以上、好ましくは３倍以上の場合が含まれる。具体的にはＫＵ−ＴＥＳ−１に対する抗体は癌（膵癌、大腸癌、子宮体癌または前立腺癌）患者の血清中で検出されるので、被験者の血液（血清）中に当該抗体が存在しており、この抗ＫＵ−ＴＥＳ−１抗体の量が正常者の抗ＫＵ−ＴＥＳ−１抗体量と比べて２倍以上、好ましくは３倍以上多いことが判定されれば、癌の罹患が疑われる。
【０１３１】
また近年、抗原ペプチドとＨＬＡ抗原との複合体を用いて抗原特異的ＣＴＬを検出する新しい検出方法が確立された（Ｓｃｉｅｎｃｅ，２７４：ｐ９４，１９９６）。本発明の癌抗原ペプチドとＨＬＡ抗原との複合体を当該検出方法に供し、癌抗原特異的ＣＴＬを検出することにより、癌を診断することができる。
具体的には、文献（Ｓｃｉｅｎｃｅ，２７４：ｐ９４，１９９６）に記載の方法に従って蛍光標識したＨＬＡ抗原と本発明のペプチドとの複合体の４量体を作製し、これを用いて癌が疑われる患者の末梢血リンパ球中の抗原ペプチド特異的ＣＴＬをフローサイトメーターにより定量することにより、前記診断を行うことができる。
【０１３２】
▲３▼本発明の抗体に関する癌マーカー
本発明は癌マーカーとして、本発明のタンパク質又はその部分ペプチドを特異的に認識することのできる抗体を提供する。より具体的には、本発明は、配列番号：２、配列番号：４または配列番号：６に記載のアミノ酸配列からなる本発明のタンパク質またはその部分ペプチドを特異的に認識する抗体からなる癌マーカーを提供する。
【０１３３】
本発明においては、種々の癌組織および癌細胞において、本発明のＫＵ−ＴＥＳ−１遺伝子が特異的に発現しているという知見を得た。またＫＵ−ＴＥＳ−１タンパクに対するＩｇＧ抗体が癌患者血清中に特異性を示して存在しているという知見を得た。よってＫＵ−ＴＥＳ−１タンパクの発現の有無やその発現の程度を検出することによって、癌の有無やその程度が特異的に検出でき、該疾患の診断を行うことができる。
上記抗体は、従って、被験者におけるＫＵ−ＴＥＳ−１タンパク質の発現の有無またはその程度を検出することによって、該被験者が癌に罹患しているか否かまたはその疾患の程度を診断することのできるツール（癌マーカー）として有用である。
【０１３４】
本発明の抗体は、その形態に特に制限はなく、本発明タンパク質を免疫抗原とするポリクローナル抗体であっても、またそのモノクローナル抗体であってもよい。さらにこれら本発明タンパク質のアミノ酸配列のうち少なくとも連続する、通常８アミノ酸、好ましくは１５アミノ酸、より好ましくは２０アミノ酸からなるポリペプチドに対して抗原結合性を有する抗体も、本発明の抗体に含まれる。
これらの抗体は、前記「９）本発明の抗体」の項に記載した方法により製造することができる。
【０１３５】
本発明の抗体は、ＫＵ−ＴＥＳ−１に特異的に結合する性質を有することから、該抗体を利用することによって、被験者の組織内に発現したＫＵ−ＴＥＳ−１タンパク質を特異的に検出することができる。すなわち、当該抗体は被験者の組織内におけるＫＵ−ＴＥＳ−１発現の有無を検出するためのプローブとして有用である。
【０１３６】
具体的には、癌が疑われる被験組織や血液をバイオプシ等で採取し、必要に応じそこから常法に従ってタンパク質を調製して、例えばウェスタンブロット法、ＥＬＩＳＡ法など公知の検出方法において、上記抗体を常法に従ってプローブとして使用することによってＫＵ−ＴＥＳ−１を検出することができる。
【０１３７】
癌の診断に際しては、被験者組織におけるＫＵ−ＴＥＳ−１タンパクの量と正常な対応組織におけるＫＵ−ＴＥＳ−１タンパク量の違いを判定すればよい。この場合、タンパク量の違いには、タンパクのある／なし、あるいはタンパク量の違いが２倍以上、好ましくは３倍以上の場合が含まれる。具体的にはＫＵ−ＴＥＳ−１遺伝子は癌で発現誘導を示すので、被験者組織で該遺伝子の発現産物（ＫＵ−ＴＥＳ−１）が存在しており、該量が正常な組織の発現産物量と比べて２倍以上、好ましくは３倍以上多いことが判定されれば、癌の罹患が疑われる。
【０１３８】
▲４▼癌の検出方法（診断方法）
本発明は、前述した本発明癌マーカーを利用した癌の検出方法（診断方法）を提供するものである。
【０１３９】
具体的には、本発明の検出方法（診断方法）は、被験者の血液（血清）を採取するか、若しくは癌が疑われる被験組織の一部をバイオプシ等で採取し、そこに含まれるＫＵ−ＴＥＳ−１遺伝子の遺伝子発現量、これらの遺伝子に由来するＫＵ−ＴＥＳ−１タンパク質量、当該ＫＵ−ＴＥＳ−１に対する抗体の量、若しくはＫＵ−ＴＥＳ−１由来の癌抗原ペプチドとＨＬＡ抗原との複合体を認識するＣＴＬの量を、検出・測定することにより、癌の罹患の有無またはその程度を診断するものである。また本発明の検出（診断）方法は、例えば癌患者において、癌の改善のために治療薬を投与した場合における、該疾患の改善の有無またはその程度を検出（診断）することもできる。さらに本発明の検出（診断）方法は、本発明のタンパク質、ペプチドまたはポリヌクレオチド（発現ベクター）を有効成分とする医薬の適応可能な癌患者の選択や、当該医薬による治療効果の判定などにも利用できる。
【０１４０】
本発明の検出方法は次の（ａ）、（ｂ）及び（ｃ）の工程を含むものである：
（ａ）  被験者の生体試料と本発明の癌マーカーを接触させる工程、
（ｂ）  生体試料中のＫＵ−ＴＥＳ−１遺伝子発現レベル、ＫＵ−ＴＥＳ−１タンパク質量、抗ＫＵ−ＴＥＳ−１抗体量、またはＫＵ−ＴＥＳ−１由来の癌抗原ペプチドとＨＬＡ抗原との複合体を認識するＣＴＬの量を、上記癌マーカーを指標として測定する工程、
（ｃ）  （ｂ）の結果をもとに、癌の罹患を判断する工程。
【０１４１】
ここで用いられる生体試料としては、被験者の生体組織（癌が疑われる組織及びその周辺組織、または血液など）から調製される試料を挙げることができる。具体的には、該組織から調製されるＲＮＡ含有試料、若しくはそれからさらに調製されるポリヌクレオチドを含む試料、上記組織から調製されるタンパク質を含む試料、上記組織から調製される抗体を含む試料、あるいは上記組織から調製される末梢血リンパ球を含む試料を挙げることができる。
本発明の診断方法は、測定対象として用いる生体試料の種類に応じて、具体的には下記のようにして実施される。
【０１４２】
（▲４▼−１）  測定対象の生体試料としてＲＮＡを利用する場合
測定対象物としてＲＮＡを利用する場合、癌の検出は、具体的に下記の工程（ａ）、（ｂ）及び（ｃ）を含む方法によって実施することができる：
（ａ）被験者の生体試料から調製されたＲＮＡまたはそれから転写された相補的ポリヌクレオチドと、前記本発明の癌マーカー（本発明のポリヌクレオチドの塩基配列における連続する少なくとも１５塩基を含有するポリヌクレオチド及び／又は該ポリヌクレオチドに相補的なポリヌクレオチド）とを結合させる工程、
（ｂ）該癌マーカーに結合した生体試料由来のＲＮＡまたは該ＲＮＡから転写された相補的ポリヌクレオチドを、上記癌マーカーを指標として測定する工程、
（ｃ）上記（ｂ）の測定結果に基づいて、癌の罹患を判断する工程。
【０１４３】
測定対象物としてＲＮＡを利用する場合は、本発明の検出方法（診断方法）は、該ＲＮＡ中のＫＵ−ＴＥＳ−１遺伝子の発現レベルを検出し、測定することによって実施される。具体的には、前述のポリヌクレオチドからなる本発明の癌マーカー（本発明のポリヌクレオチドの塩基配列における連続する少なくとも１５塩基を含有するポリヌクレオチド及び／又はその相補的なポリヌクレオチド）をプライマーまたはプローブとして用いて、ノーザンブロット法、ＲＴ−ＰＣＲ法、ＤＮＡチップ解析法、ｉｎ ｓｉｔｕハイブリダイゼーション解析法などの公知の方法を行うことにより実施できる。
【０１４４】
ノーザンブロット法を利用する場合は、本発明の上記癌マーカーをプローブとして用いることによって、ＲＮＡ中のＫＵ−ＴＥＳ−１遺伝子の発現の有無やその発現レベルを検出、測定することができる。具体的には、本発明の癌マーカー（相補鎖）を放射性同位元素（３２Ｐ、３３Ｐなど：ＲＩ）や蛍光物質などで標識し、それを、常法に従ってナイロンメンブレン等にトランスファーした被験者の生体組織由来のＲＮＡとハイブリダイズさせた後、形成された癌マーカー（ＤＮＡ）とＲＮＡとの二重鎖を、癌マーカーの標識物（ＲＩ若しくは蛍光物質）に由来するシグナルを放射線検出器（ＢＡＳ−１８００ＩＩ、富士フィルム社製）または蛍光検出器で検出、測定する方法を例示することができる。また、ＡｌｋＰｈｏｓ  Ｄｉｒｅｃｔ  Ｌａｂｅｌｌｉｎｇ  ａｎｄ  Ｄｅｔｅｃｔｉｏｎ  Ｓｙｓｔｅｍ  （Ａｍｅｒｓｈａｍ  Ｐｈａｒｍａｃｉａ  Ｂｉｏｔｅｃｈ社製）を用いて、該プロトコールに従って癌マーカー（プローブＤＮＡ）を標識し、被験者の生体組織由来のＲＮＡとハイブリダイズさせた後、癌マーカーの標識物に由来するシグナルをマルチバイオイメージャーＳＴＯＲＭ８６０（Ａｍｅｒｓｈａｍ  Ｐｈａｒｍａｃｉａ  Ｂｉｏｔｅｃｈ社製）で検出、測定する方法を使用することもできる。
【０１４５】
ＲＴ−ＰＣＲ法を利用する場合は、本発明の上記癌マーカーをプライマーとして用いることによって、ＲＮＡ中のＫＵ−ＴＥＳ−１遺伝子の発現の有無や発現レベルを検出、測定することができる。具体的には、被験者の生体組織由来のＲＮＡから常法に従ってｃＤＮＡを調製して、これを鋳型として標的のＫＵ−ＴＥＳ−１遺伝子の領域が増幅できるように、本発明の癌マーカーから調製した一対のプライマー（上記ｃＤＮＡ（−鎖）に結合する正鎖、＋鎖に結合する逆鎖）をこれとハイブリダイズさせて、常法に従ってＰＣＲ法を行い、得られた増幅二本鎖ＤＮＡを検出する方法を例示することができる。なお、増幅された二本鎖ＤＮＡの検出は、上記ＰＣＲを予めＲＩや蛍光物質で標識しておいたプライマーを用いて行うことによって産生される標識二本鎖ＤＮＡを検出する方法、産生された二本鎖ＤＮＡを常法に従ってナイロンメンブレン等にトランスファーさせて、標識した癌マーカーをプローブとして使用してこれとハイブリダイズさせて検出する方法などを用いることができる。なお、生成された標識二本鎖ＤＮＡ産物はアジレント２１００バイオアナライザ（横河アナリティカルシステムズ社製）などで測定することができる。また、ＳＹＢＲ  Ｇｒｅｅｎ  ＲＴ−ＰＣＲ  Ｒｅａｇｅｎｔｓ  （Ａｐｐｌｉｅｄ  Ｂｉｏｓｙｓｔｅｍｓ  社製）で該プロトコールに従ってＲＴ−ＰＣＲ反応液を調製し、ＡＢＩ  ＰＲＩＳＭ  ７７００  Ｓｅｑｕｅｎｃｅ  Ｄｅｔｅｃｔｉｏｎ  Ｓｙｓｔｅｍ  （Ａｐｐｌｉｅｄ  Ｂｉｏｓｙｓｔｅｍｓ  社製）で反応させて、該反応物を検出することもできる。
【０１４６】
ＤＮＡチップ解析を利用する場合は、本発明の上記癌マーカーをＤＮＡプローブ（１本鎖または２本鎖）として貼り付けたＤＮＡチップを用意し、これに被験者の生体組織由来のＲＮＡから常法によって調製されたｃＲＮＡとハイブリダイズさせて、形成されたＤＮＡとｃＲＮＡとの二本鎖を、本発明の癌マーカーから調製される標識プローブと結合させて検出する方法を挙げることができる。
【０１４７】
（▲４▼−２）  測定対象の生体試料としてタンパク質を用いる場合
測定対象物としてタンパク質を用いる場合は、本発明の癌の検出方法（診断方法）は、生体試料中のＫＵ−ＴＥＳ−１を検出し、その量を測定することによって実施される。具体的には下記の工程（ａ）、（ｂ）及び（ｃ）を含む方法によって実施することができる：
（ａ）被験者の生体試料から調製されたタンパク質を含有する試料と抗体に関する本発明の癌マーカー（ＫＵ−ＴＥＳ−１を認識する抗体）とを結合させる工程、
（ｂ）該癌マーカーに結合した生体試料由来のタンパク質を、上記癌マーカーを指標として測定する工程、
（ｃ）上記（ｂ）の測定結果に基づいて、癌の罹患を判断する工程。
【０１４８】
より具体的には、本発明の癌マーカーとして抗体（ＫＵ−ＴＥＳ−１を認識する抗体）を用いて、ウエスタンブロット法などの公知方法でＫＵ−ＴＥＳ−１を検出、定量する方法を挙げることができる。
【０１４９】
ウエスタンブロット法は、一次抗体として本発明癌マーカーを用いた後、二次抗体として１２５Ｉなどの放射性同位元素、蛍光物質、ホースラディッシュペルオキシターゼ（ＨＲＰ）などの酵素等で標識した標識抗体（一次抗体に結合する抗体）を用い、得られる標識化合物の放射性同位元素、蛍光物質などに由来するシグナルを放射線測定器（ＢＡＳ−１８００ＩＩ：富士フィルム社製など）、蛍光検出器などで検出し、測定することによって実施できる。また、一次抗体として本発明癌マーカーを用いた後、ＥＣＬ  Ｐｌｕｓ  Ｗｅｓｔｅｒｎ  Ｂｌｏｔｔｉｎｇ  Ｄｅｔｃｔｉｏｎ  Ｓｙｓｔｅｍ  （アマシャム  ファルマシアバイオテク社製）を用いて、該プロトコールに従って検出し、マルチバイオイメージャーＳＴＯＲＭ８６０（アマシャム  ファルマシアバイオテク社製）で測定することもできる。
【０１５０】
（▲４▼−３）測定対象の生体試料として抗体を用いる場合
測定対象物としてタンパク質中に存在する抗体を用いる場合は、本発明の癌の検出方法（診断方法）は、生体試料中の抗ＫＵ−ＴＥＳ−１抗体を検出し、その量を測定することによって実施される。具体的には下記の工程（ａ）、（ｂ）及び（ｃ）を含む方法によって実施することができる：
（ａ）被験者の生体試料から調製された抗体を含有する試料（例えば血清）と、タンパク質またはペプチド（ポリペプチド）に関する本発明の癌マーカー（ＫＵ−ＴＥＳ−１抗体を認識するタンパク質またはポリペプチド）とを結合させる工程、
（ｂ）該癌マーカーに結合した生体試料由来の抗体を、上記癌マーカーを指標として測定する工程、
（ｃ）上記（ｂ）の測定結果に基づいて、癌の罹患を判断する工程。
【０１５１】
より具体的には、本発明の癌マーカーとして抗ＫＵ−ＴＥＳ−１抗体を認識するタンパク質またはペプチド（ポリペプチド）を用いて、ウエスタンブロット法、ＥＬＩＳＡ法、イムノクロマトグラフィー法、ラテックス凝集法などの公知方法で抗ＫＵ−ＴＥＳ−１抗体を検出、定量する方法を挙げることができる。
【０１５２】
ウエスタンブロット法は、例えば本発明の癌マーカーを固層に固定した後、生体試料中の抗ＫＵ−ＴＥＳ−１抗体を結合させ、１２５Ｉなどの放射性同位元素、蛍光物質、ホースラディッシュペルオキシターゼ（ＨＲＰ）などの酵素等で標識した標識抗体（二次抗体）をさらに結合させ、得られる標識化合物の放射性同位元素、蛍光物質などに由来するシグナルを放射線測定器（ＢＡＳ−１８００ＩＩ：富士フィルム社製など）、蛍光検出器などで検出し、測定することによって実施できる。また、ＥＣＬ  Ｐｌｕｓ  Ｗｅｓｔｅｒｎ  Ｂｌｏｔｔｉｎｇ  Ｄｅｔｃｔｉｏｎ  Ｓｙｓｔｅｍ  （アマシャム  ファルマシアバイオテク社製）を用いて、該プロトコールに従って検出し、マルチバイオイメージャーＳＴＯＲＭ８６０（アマシャム  ファルマシアバイオテク社製）で測定することもできる。
【０１５３】
ＥＬＩＳＡ法は、例えば９６穴マイクロプレートに本発明の癌マーカーを固定した後、生体試料中の抗ＫＵ−ＴＥＳ−１抗体、酵素標識抗体を順次結合させ、抗原抗体結合物を生成させる。この結合物を基質液との酵素反応により発色させ、プレートリーダーで吸光度を測定することにより実施することができる。
【０１５４】
（▲４▼−４）  測定対象の生体試料として癌抗原特異的ＣＴＬを用いる場合
測定対象物として末梢血リンパ球中に存在する癌抗原特異的ＣＴＬを用いる場合は、本発明の癌の検出方法（診断方法）は、生体試料中のＫＵ−ＴＥＳ−１特異的ＣＴＬを検出し、その量を測定することによって実施される。具体的には、文献（Ｓｃｉｅｎｃｅ，２７４：ｐ９４，１９９６）に記載の方法に従って蛍光標識したＨＬＡ抗原と本発明のペプチドとの複合体の４量体を作製し、これを用いて癌が疑われる患者の末梢血リンパ球中の抗原ペプチド特異的ＣＴＬをフローサイトメーターにより定量することにより行うことができる。
【０１５５】
（▲４▼−５）癌の診断
癌の診断は、例えば、被験者の血液や癌が疑われる被験組織におけるＫＵ−ＴＥＳ−１遺伝子の遺伝子発現レベル、これらの遺伝子の発現産物であるＫＵ−ＴＥＳ−１タンパク質の量、抗ＫＵ−ＴＥＳ−１抗体の量、またはＫＵ−ＴＥＳ−１特異的ＣＴＬの量を測定することにより行うことができる。その際、場合によっては正常な対応組織における当該遺伝子発現レベルまたは当該タンパク質レベル等と比較し、両者の違いを判定することによって行うことができる。
【０１５６】
ここで被験者の被験組織と正常な対応組織との遺伝子、タンパク質、抗体、またはＣＴＬの量（レベル）の比較は、被験者の生体試料と正常者の生体試料を対象とした測定を並行して行うことで実施できる。並行して行わない場合は、複数（少なくとも２つ、好ましくは３以上、より好ましくは５以上）の正常な組織を用いて均一な測定条件で測定して得られたＫＵ−ＴＥＳ−１遺伝子の遺伝子発現レベル、ＫＵ−ＴＥＳ−１の量、抗ＫＵ−ＴＥＳ−１抗体の量、またはＫＵ−ＴＥＳ−１特異的ＣＴＬの量の平均値または統計的中間値を、正常者の値として、比較に用いることができる。
【０１５７】
被験者が、癌であるかどうかの判断は、例えば該被験者の組織におけるＫＵ−ＴＥＳ−１遺伝子の遺伝子発現レベル、ＫＵ−ＴＥＳ−１の量、抗ＫＵ−ＴＥＳ−１抗体の量、またはＫＵ−ＴＥＳ−１特異的ＣＴＬの量が、正常者のそれらのレベルと比較して２倍以上、好ましくは３倍以上多いことを指標として行うことができる。
【０１５８】
【実施例】
以下、実施例により本発明を具体的に説明するが、本発明はこれらの実施例によりなんら限定されるものではない。
【０１５９】
実施例１
精巣由来ｃＤＮＡライブラリーの作製
前立腺癌の手術により摘出された精巣より患者のインフォームドコンセントを得て入手したヒト正常精巣組織から塩化セシウム密度勾配法にてトータルＲＮＡを抽出した。Ｏｌｉｇｏｔｅｘ−ｄＴ  ３０  ｓｕｐｅｒ  ｍＲＮＡ  Ｐｕｒｉｆｉｃａｔｉｏｎ  ｋｉｔ  （宝酒造）にて２回精製してＰｏｌｙ  （Ａ）＋ＲＮＡを抽出した。ｃＤＮＡライブラリー作製には５μｇのＰｏｌｙ  （Ａ）＋ＲＮＡを使用した。Ｆｉｒｓｔ−ｓｔｒａｎｄ合成にはＸｈｏ  Ｉ切断部位と５−ｍｅｔｈｙｌ−ＣＴＰを持つＯｌｉｇｏｄｅｏｘｙｔｈｙｍｉｄｙｌａｔｅ  ｐｒｉｍｅｒを使用した。ｃＤＮＡは、ＥｃｏＲＩアダプターにライゲーションし、ＸｈｏＩで消化した。このｃＤＮＡ断片は直接バクテリオファージ発現ベクターであるλ  ＺＡＰ  ＩＩ（Ｓｔｒａｔａｇｅｎｅ社）に挿入し、大腸菌にトランスフォームした。こうして作製されたライブラリーのプライマリーサイズは１．２×１０７であった。
【０１６０】
実施例２
膵管癌患者血清によるｃＤＮＡライブラリーのスクリーニング
膵管癌患者よりインフォームドコンセントを得て血清を採取した。膵管癌患者血清１ｍｌを５％スキムミルクで１：１５に希釈し、大腸菌のライセートと一晩反応させた後、上清を５％スキムミルク添加Ｔｒｉｓ  ｂｕｆｆｅｒｅｄ  Ｓａｌｉｎｅ  （ＴＢＳ）、０．０１％アジ化ナトリウムで１：２００に希釈してインサートのないファージタンパク質を転写したニトロセルロース膜Ｈｙｂｏｎｄ−Ｃ（アマシャム・ファルマシア社）と反応させた。この操作により血清中の抗大腸菌抗体と抗ファージ抗体を除去した。１５０ｍｍのディシュ当たり約１．５×１０４個のファージを播き、６時間培養してプラークを発現させた後、ｉｓｉｐｒｏｐｙｌ−β−Ｄ（−）−ｔｈｉｏｇａｌａｃｔｐｙｒａｎｏｓｉｄｅ（ＩＰＴＧ）を吸収させたニトロセルロース膜を４時間反応させ、ｃＤＮＡ由来のリコンビナントタンパク質をβ−ｇａｌａｃｔｏｓｉｄａｓａとの融合タンパク質として発現・転写した。このようにして作製したニトロセルロース膜と上記の吸収済み患者血清とを反応させた後、アルカリフォスファターゼ標識ヤギ抗ヒトＩｇＧ−Ｆｃ抗体（Ｃａｐｐｅｌ社）を６０分間反応させ、Ｎｉｔｒｏ  ｂｌｕｅ  ｔｅｔｒａｚｏｌｉｕｍ（Ｂｏｅｈｒｉｎｇｅｒ  Ｍａｎｎｈｅｉｍ社）と５−ｂｒｏｍｏ−４−ｃｈｌｏｒｏ−３−ｉｎｄｏｌｙｌ  ｐｈｏｓｐｈａｔｅ（Ｓｉｇｍａ社）にて発色させて陽性クローンを同定した。陽性クローンはディシュから分取し、更に９０ｍｍディシュ上で再度スクリーニングして単離した。
【０１６１】
こうして得られた単離抗原遺伝子クローンをＫＵ−ＴＥＳ−１（別名ＴＷ１２）と命名した。またＫＵ−ＴＥＳ−１はＴ３センスプライマー（配列番号７）とＴ７アンチセンスプライマー（配列番号８）でＥｘ  Ｔａｑ  ｋｉｔ（宝酒造）を使用した３５サイクルのＰＣＲで増幅し、Ｂｉｇ  Ｄｙｅ  Ｓｅｑｕｅｎｃｉｎｇ  Ｒｅａｄｙ  Ｒｅａｃｔｉｏｎ  ｋｉｔとＡＢＩ  Ｐｒｉｓｍ３１０あるいは３１００シークエンサー（ＡＢＩ社）を使用して塩基配列を決定した。決定した塩基配列およびアミノ酸配列を、それぞれ配列番号：１及び２に示した。
【０１６２】
実施例３
単離抗原遺伝子の癌組織、癌細胞での発現レベルの検討
ＫＵ−ＴＥＳ−１クローンに関して、ＲＴ−ＰＣＲ法を用いてｍＲＮＡ発現レベルを検討した。細胞株、癌組織からトータルＲＮＡを塩化セシウム密度勾配法で抽出した。正常組織トータルＲＮＡは、市販のもの（ＣＬＯＮＴＥＣＨ社）を使用した。５μｇのトータルＲＮＡを逆転写酵素Ｍ−ＭＬＶ  Ｒｅｖｅｒｓｅ  Ｔｒａｎｓｃｒｉｐｔａｓｅ  Ｒｎａｓｅ  Ｈ（−）  （Ｐｒｏｍｅｇａ社）で処理してｃＤＮＡを調製した。ｃＤＮＡ０．５μｇとセンスプライマー（配列番号９）とアンチセンスプライマー（配列番号１０）を用い、Ｅｘ  Ｔａｑ  ｋｉｔ（宝酒造）を使用して３５サイクルのＰＣＲで増幅した。増幅産物は電気泳動した後、増幅産物のバンドを検出した。コントロールとしてＧＡＰＤＨ遺伝子もＰＣＲにて増幅して検出した。ヒト正常組織（脳、肺、胎盤、肝臓、胃、大腸、精巣、膵臓）、ヒト正常細胞株（線維芽細胞、メラノサイト、Ｔ細胞ＴＩＬ１３６２、Ｂ細胞ＥＢ８８８）、ヒトグリオーマ細胞株Ｕ８７ＭＯ、ヒト慢性骨髄性白血病細胞株Ｋ５６２、ヒト腎細胞癌細胞株ＲＣＣ−６、ヒト乳癌細胞株ＭＩＤＡ２３１、ヒト肺癌細胞株ＫＩＳ、ヒト膵管癌細胞株（Ｐａｎｃ１、ＰＫ８、ＰＫ５９）、ヒト大腸癌細胞株（ｃｏｌｏ３２０、ｃｏｌｏ２０１、ＳＷ８３７）、ヒト肝細胞癌株（Ｌｉ７、ｈＬＥ、ｈＬＦ、Ａｌｅｘａｎｄｅｒ、ＨｕＨ７）、ヒト肝芽腫細胞株ＨｅｐＧ２、ヒト胃癌細胞株（ＭＫＮ１、ＭＫＮ７、ＭＫＮ２８、ＭＫＮ７４）、ヒト膵管癌組織（Ｋ２Ｆ、ＫＹＭ、ＫＹＨ、ＳＡＩと表記）、ヒト胃癌組織（ＩＷＡと表記）、ヒト子宮体癌組織（ＫＩＴ、ＳＨＩと表記）、ヒト大腸癌組織（ＩＷＡ２と表記）、ヒトメラノーマ組織（ＭＥＬ１と表記）の各組織、細胞について検討を行った結果を図１に示した。その結果、正常組織では精巣で、また癌細胞株では膵管癌細胞株Ｐａｎｃ１、腎細胞癌細胞株ＲＣＣ−６、及び肝細胞癌細胞株ｈＬＦで発現が検出された。また癌患者の癌組織検体では、膵管癌組織２検体（Ｋ２Ｆ、ＫＹＭ）と子宮体癌組織２検体（ＫＩＴ、ＳＨＩ）で発現が検出された。以上のようにＫＵ−ＴＥＳ−１はＣＴ抗原としての発現パターンを示すことが明らかとなった。
【０１６３】
さらにＮｏｒｔｈｅｒｎ  ｂｌｏｔ  ｈｙｂｒｉｄｉｚａｔｉｏｎ法によりＫＵ−ＴＥＳ−１クローンの発現を解析した。トータルＲＮＡは、上記のＲＴ−ＰＣＲ法で用いたものと同じものを用いた。１０μｇの各トータルＲＮＡを１％アガロースゲルの電気泳動で展開した。ＲＮＡはニトロセルロース膜Ｈｙｂｏｎｄ−ＸＬ（アマシャム・ファルマシア社）に転写した。前記ＲＴ−ＰＣＲでのＰＣＲ産物をＨｉｇｈ  Ｐｒｉｍｅ  ＤＮＡ  Ｌａｂｅｌｌｉｎｇ  ｋｉｔ（Ｂｏｅｈｒｉｎｇｅｒ  Ｍａｎｎｈｅｉｍ社）を用いて３２Ｐ標識し、プローブとした。プレハイブリダイゼーションは６５℃、１時間で行い、プローブ２２ｎｇとのハイブリダイゼーションは、６５℃、２時間行った。ハイブリダイゼーション液にはＱｕｉｃｋＨｙｂ  ｈｙｂｒｉｄｉｚａｔｉｏｎ  Ｓｏｌｕｔｉｏｎ  （Ｓｔｒａｔａｇｅｎｅ社）を使用した。ハイブリダイゼーション後のニトロセルロース膜は室温で１％ＳＤＳを含む２×ＳＳＣ液で５分間２回洗浄後、０．１％ＳＤＳを含む０．１×ＳＳＣで６０℃、３０分間２回洗浄した。ＢＡＳ−２５００あるいは５０００（富士フィルム社）を用いてラジオアイソトープを検出した。
その結果、正常組織では精巣でのみｍＲＮＡの発現が認められ、その長さは約３ｋｂｐであった。また癌患者の癌組織検体では、膵管癌患者検体Ｋ２Ｆと子宮体癌患者検体ＳＨＩで発現が検出された。
【０１６４】
実施例４
癌患者血清中のＫＵ−ＴＥＳ−１がコードする蛋白質に対する抗体の検出
ＫＵ−ＴＥＳ−１の蛋白質に対するＩｇＧ抗体が癌患者に特異性を持って存在するか否かを検討するために、ＫＵ−ＴＥＳ−１のファージクローンを使用して血清スクリーニングを行った。各種血清は１００倍に希釈し、抗大腸菌抗体と抗バクテリオファージ抗体の吸収を充分に行った後に使用した。陽性コントロールは、ＫＵ−ＴＥＳ−１の単離に用いた患者の血清を使用し、ＫＵ−ＴＥＳ−１クローンの挿入されたファージとインサートの挿入されていないファージとの発色反応のコントラスト差で判定した。検討には、健常人３０名、膵管癌患者２０名、腎細胞癌患者１４名、食道癌患者９名、メラノーマ患者２２名、前立腺癌患者１０名、膀胱癌患者１８名、大腸癌患者１８名、子宮体癌患者１２名からインフォームドコンセントを取得して採取した血清を用いた。更に膵管癌随伴性膵炎による膵組織破壊の影響を検討するため７名の急性膵炎後血清を加えた。結果を表２に示す。ＫＵ−ＴＥＳ−１の蛋白質に対する抗体は、膵管癌３名、大腸癌１名、子宮体癌２名、前立腺癌１名の血清中に存在が確認された。また、ＫＵ−ＴＥＳ−１の蛋白質に対する抗体は膵炎患者血清には検出されなかったが、健常人１名の血清中で検出された。
以上のようにＫＵ−ＴＥＳ−１抗原に対するＩｇＧ抗体は、癌患者血清中に特異性を示して存在することが明らかとなった。
これらの結果から、新規遺伝子ＫＵ−ＴＥＳ−１は、癌抗原として作用していることが明らかとなった。
【０１６５】
【表２】
2004248585.tif 000003
【０１６６】
実施例５
ＫＵ−ＴＥＳ−１遺伝子とホモロジーを有する遺伝子の同定
データベース（ＢＬＡＳＴ  Ｓｅａｒｃｈ）を用いてＫＵ−ＴＥＳ−１遺伝子（配列番号１）のホモロジー検索を行った。その結果、機能未知の２つの遺伝子（Ａｃｃｅｓｓｉｏｎ  Ｎｏ．  ＮＭ＿１７３０８１、Ａｃｃｅｓｓｉｏｎ  Ｎｏ．  ＸＭ＿１６６１０９）と高い相同性が認められた。Ａｃｃｅｓｓｉｏｎ  Ｎｏ．  ＮＭ＿１７３０８１の塩基配列およびアミノ酸配列を、それぞれ配列番号３及び４に示した。またＡｃｃｅｓｓｉｏｎ  Ｎｏ．  ＸＭ＿１６６１０９の塩基配列およびアミノ酸配列を、それぞれ５及び６に示した。これらのＡｃｃｅｓｓｉｏｎ  Ｎｏ．で示されるタンパク質は、ＫＵ−ＴＥＳ−１のアミノ酸配列（配列番号２）の第３９１位までと同一の配列を有し、かつそのＣ末端側に新たな４８１アミノ酸残基を有するタンパク質であった。この結果と先の実施例３の結果から、前記Ａｃｃｅｓｓｉｏｎ  Ｎｏ．で示されるタンパク質はＫＵ−ＴＥＳ−１のスプライスバリアントであると考えられた。
【０１６７】
実施例３と同様のＮｏｒｔｈｅｒｎ  ｂｌｏｔ  ｈｙｂｒｉｄｉｚａｔｉｏｎを、プローブの濃度を変えて行った。ヒト正常精巣およびヒト膵管癌細胞株Ｐａｎｃ１由来のトータルＲＮＡに対してハイブリダイゼーションを行った結果、約３ｋｂと約１．５ｋｂの位置にバンドが検出され、これらは前記ＫＵ−ＴＥＳ−１およびそのスプライスバリアントに対応するものと考えられた。
【０１６８】
【発明の効果】
本発明により、新たな癌抗原であるＫＵ−ＴＥＳ−１抗原およびその遺伝子、およびこれらの物質の癌免疫分野における利用などが提供される。本発明のＫＵ−ＴＥＳ−１抗原およびその遺伝子は、多くの癌患者の処置および診断に利用することができる。
【０１６９】
【配列表】
2004248585.tif 000004
2004248585.tif 000005
2004248585.tif 000006
2004248585.tif 000007
2004248585.tif 000008
2004248585.tif 000009
2004248585.tif 000010
2004248585.tif 000011
2004248585.tif 000012
2004248585.tif 000013
2004248585.tif 000014
2004248585.tif 000015
2004248585.tif 000016
2004248585.tif 000017
2004248585.tif 000018
2004248585.tif 000019
2004248585.tif 000020
2004248585.tif 000021
2004248585.tif 000022
2004248585.tif 000023
2004248585.tif 000024
2004248585.tif 000025
2004248585.tif 000026
2004248585.tif 000027
2004248585.tif 000028
2004248585.tif 000029
2004248585.tif 000030
2004248585.tif 000031
2004248585.tif 000032
2004248585.tif 000033
2004248585.tif 000034
2004248585.tif 000035
2004248585.tif 000036
2004248585.tif 000037
【図面の簡単な説明】
【図１】ＫＵ−ＴＥＳ−１抗原遺伝子のｍＲＮＡレベルをＲＴ−ＰＣＲ法にて検討した結果を示した図である。コントロールとしてＧＡＰＤＨ遺伝子もＰＣＲにて増幅して検出した。ヒト正常組織（図中上段、左から脳（ｂｒａｉｎ）、肺（ｌｕｎｇ）、胎盤（ｐｌａｃｅｎｔａ）、肝臓（ｌｉｖｅｒ）、胃（ｓｔｏｍａｃｈ）、大腸（ｃｏｌｏｎ）、精巣（ｔｅｓｔｉｓ）、膵臓（ｐａｎｃｒｅａｓ））、ヒト正常細胞株（左から線維芽細胞（ｆｉｂｒｏｂｌａｓｔ）、メラノサイト、Ｔ細胞ＴＩＬ１３６２、Ｂ細胞ＥＢ８８８）、ヒトグリオーマ細胞株Ｕ８７ＭＯ、ヒト慢性骨髄性白血病細胞株Ｋ５６２、ヒト腎細胞癌細胞株ＲＣＣ−６、ヒト乳癌細胞株ＭＩＤＡ２３１、ヒト肺癌細胞株ＫＩＳ、ヒト膵管癌細胞株（Ｐａｎｃ−１、ＰＫ８、ＰＫ５９）、ヒト大腸癌細胞株（ｃｏｌｏ３２０、ｃｏｌｏ２０１、ＳＷ８３７）、ヒト肝細胞癌株（Ｌｉ７、ｈＬＥ、ｈＬＦ、Ａｌｅｘａｎｄｅｒ、ＨｕＨ７）、ヒト肝芽腫細胞株ＨｅｐＧ２、ヒト胃癌細胞株（ＭＫＮ１、ＭＫＮ７、ＭＫＮ２８、ＭＫＮ７４）、ヒト膵管癌組織（Ｋ２Ｆ、ＫＹＭ、ＫＹＨ、ＳＡＩと表記）、ヒト胃癌組織（ＩＷＡと表記）、ヒト子宮体癌組織（ＫＩＴ、ＳＨＩと表記）、ヒト大腸癌組織（ＩＷＡ２と表記）、ヒトメラノーマ組織（ＭＥＬ１と表記）の各組織、細胞について検討を行った。
【図２】ＫＵ−ＴＥＳ−１抗原遺伝子のｍＲＮＡをＮｏｒｔｈｅｒｎ  ｂｌｏｔ  ｈｙｂｒｉｄｉｚａｔｉｏｎにより検出した結果を示した図である。コントロールとしてＧＡＰＤＨ遺伝子も検出した。図中、ＡはＫＵ−ＴＥＳ−１プローブ２２ｎｇ／μｌを用いた結果を、Ｂは同プローブ３３ｎｇ／μｌ用いた結果を、またＣはＧＡＰＤＨプローブを用いた結果を示す。また図中、レーン１はヒト正常精巣由来のＲＮＡを用いた結果を、レーン２はヒト膵管癌細胞株Ｐａｎｃ１由来ＲＮＡを用いた結果を、またレーン３はネガティブコントロールの結果を示す。
【図１】
2004248585.tif 000038
【図２】
2004248585.tif 000039